(57)【要約】  本発明の送受信装置は、他の送受信装置の機能に関するカテゴリー情報を受信する受信部と、前記カテゴリー情報に基づき、インターリーブ方式を選択する選択部と、前記選択したインターリーブ方式により、前記他の送受信装置への送信信号にインターリーブを施すインターリーブ部とを具備する。これによって、無線通信システム内に複数のカテゴリーの受信装置が存在する場合においても、各受信装置の性能を最大限得ることができる。
2008029845.tif 000002
【特許請求の範囲】
【請求項１】
対象装置として他の送受信装置の機能に関するカテゴリー情報を受信する受信部と、
前記カテゴリー情報に基づき、インターリーブ方式を選択する選択部と、
前記選択部によって選択されたインターリーブ方式により、前記他の送受信装置への送信信号にインターリーブを施すインターリーブ部と
を具備する送受信装置。
【請求項２】
前記選択部によって選択されたインターリーブ方式を表す情報を含む制御信号を生成し、前記インターリーブ部にてインターリーブを施した送信信号に前記制御信号を合成する制御信号生成合成部を具備する請求項１に記載の送受信装置。
【請求項３】
複数のコードチャネルの信号にそれぞれ固有の拡散符号を乗じ、前記固有の拡散符号を乗じた前記コードチャネルの信号を多重化して、前記送信信号を生成する符号多重部を具備する請求項１または請求項２に記載の送受信装置。
【請求項４】
対象装置として自装置の機能に関するカテゴリー情報を送信する送信部と、
前記カテゴリー情報に対応するインターリーブ方式に応じて受信信号をデインターリーブするデインターリーブ部と
を具備する送受信装置。
【請求項５】
対象装置として自装置の機能に関するカテゴリー情報を送信する送信部と、
受信した制御信号を復調して、インターリーブ方式を表す情報を取り出す制御信号復調部と、
前記制御信号復調部によって取り出されたインターリーブ方式に応じて受信信号をデインターリーブするデインターリーブ部と
を具備する送受信装置。
【請求項６】
前記デインターリーブ部にてデインターリーブした受信信号に、拡散符号を乗じて、前記拡散符号に対応するコードチャネルの信号を抽出する符号分離部を具備する請求項４または請求項５に記載の送受信装置。
【請求項７】
前記カテゴリー情報は、前記対象装置の受信信号から干渉信号を除去する干渉キャンセラ機能を具備するか否かを表す情報を含む請求項１、４または５のいずれかの項に記載の送受信装置。
【請求項８】
前記カテゴリー情報は、干渉キャンセラ機能の能力を表すグレード情報を含む請求項７に記載の送受信装置。
【請求項９】
前記グレード情報は、前記干渉キャンセラ機能の処理の繰り返し回数に基づく情報である請求項８に記載の送受信装置。
【請求項１０】
前記グレード情報は、前記干渉キャンセラ機能の干渉キャンセル方式に基づく情報である請求項８に記載の送受信装置。
【請求項１１】
前記カテゴリー情報は、前記対象装置の使用周波数帯域幅に基づく情報を含む請求項１、４または５に記載の送受信装置。
【請求項１２】
前記カテゴリー情報は、前記対象装置の送信可能な変調多値数に基づく情報を含む請求項１、４または５に記載の送受信装置。
【請求項１３】
前記カテゴリー情報は、前記対象装置のコード多重数に基づく情報を含む請求項１、４または５に記載の送受信装置。
【請求項１４】
前記カテゴリー情報は、前記対象装置の誤り訂正復号の繰り返し回数に基づく情報を含む請求項１、４または５に記載の送受信装置。
【請求項１５】
第１の送受信装置とインターリーブを施された信号を前記第１の送受信装置へ送信する第２の送受信装置とからなる送受信システムにおいて、
前記第１の送受信装置は、
自装置の機能に関するカテゴリー情報を送信する送信部と、
前記カテゴリー情報に対応するインターリーブ方式に応じて前記インターリーブを施された信号をデインターリーブするデインターリーブ部と
を具備し、
前記第２の送受信装置は、
前記第１の送受信装置のカテゴリー情報を受信する受信部と、
前記受信したカテゴリー情報に基づき、インターリーブ方式を選択する選択部と、
前記選択部によって選択されたインターリーブ方式により、前記第１の送受信装置へ送信する信号にインターリーブを施して、前記インターリーブを施された信号を生成するインターリーブ部と
を具備する送受信システム。
【請求項１６】
第１の送受信装置とインターリーブを施された信号を前記第１の送受信装置へ送信する第２の送受信装置とからなる送受信システムにおいて、
前記第１の送受信装置は、
自装置の機能に関するカテゴリー情報を送信する送信部と、
受信した前記インターリーブを施された信号に合成されている制御信号を復調して、インターリーブ方式を表す情報を取り出す制御信号復調部と、
受信した前記インターリーブを施された信号を、前記制御信号復調部によって取り出されたインターリーブ方式に応じてデインターリーブするデインターリーブ部と
を具備し、
前記第２の送受信装置は、
前記第１の送受信装置のカテゴリー情報を受信する受信部と、
前記受信したカテゴリー情報に基づき、インターリーブ方式を選択する選択部と、
前記選択部によって選択されたインターリーブ方式により、前記第１の送受信装置へ送信する信号にインターリーブを施して、前記インターリーブを施された信号を生成するインターリーブ部と、
前記選択したインターリーブ方式を表す情報を含む制御信号を生成し、前記インターリーブ部がインターリーブを施した信号に合成する制御信号生成合成部と
を具備する送受信システム。
【請求項１７】
インターリーブを施された信号を送信する信号送信側と前記インターリーブを施された信号を受信する信号受信側とからなる送受信システムにおける送受信方法において、
前記信号受信側が、前記信号受信側の機能に関するカテゴリー情報を送信する第１の過程と、
前記信号送信側が、前記カテゴリー情報を受信する第２の過程と、
前記信号送信側が、前記受信したカテゴリー情報に基づき、インターリーブ方式を選択する第３の過程と、
前記信号送信側が、前記第３の過程において選択されたインターリーブ方式によりインターリーブを施すことで、前記インターリーブを施された信号を生成する第４の過程と、
前記信号受信側が、前記第４の過程にてインターリーブされた信号を受信し、前記インターリーブされた信号を前記カテゴリー情報に対応するインターリーブ方式に応じてデインターリーブする第５の過程と
を具備する送受信方法。
【請求項１８】
インターリーブを施された信号を送信する信号送信側と前記インターリーブを施された信号を受信する信号受信側とからなる送受信システムにおける送受信方法において、
前記信号受信側が、前記信号受信側の機能に関するカテゴリー情報を送信する第１の過程と、
前記信号送信側が、前記カテゴリー情報を受信する第２の過程と、
前記信号送信側が、前記受信したカテゴリー情報に基づき、インターリーブ方式を選択する第３の過程と、
前記信号送信側が、前記第３の過程において選択されたインターリーブ方式を表す情報を含む制御信号を生成し、前記インターリーブを施された信号に合成する第４の過程と、
前記信号送信側が、前記選択したインターリーブ方式によりインターリーブを施すことで、前記インターリーブを施された信号を生成する第５の過程と、
前記信号受信側が、受信した前記インターリーブを施された信号に合成されている制御信号を復調して、インターリーブ方式を表す情報を取り出す第６の過程と、
前記信号受信側が、受信した前記インターリーブを施された信号を前記第６の過程にて取り出したインターリーブ方式に応じてデインターリーブする第７の過程と
を具備することを特徴とする送受信方法。
【発明の詳細な説明】
【技術分野】
【０００１】
本発明は、送受信装置、送受信システムおよび送受信方法、特にインターリーブを施した信号を送受信する送受信装置、送受信システムおよび送受信方法に関する。
本願は、２００６年９月６日に、日本に出願された特願２００６−２４１６７４号に基づき優先権を主張し、その内容をここに援用する。
【背景技術】
【０００２】
ＭＣ−ＣＤＭ（Multi-Carrier Code Division Multiplexing：マルチキャリア符号分割多重）方式、ＯＦＣＤＭ（Orthogonal Frequency and Code Division Multiplexing：直交周波数符号分割多重）方式などの送信側では、情報データをターボ符号などで符号化し、ＱＰＳＫ（Quadrature Phase Shift Keying：４値位相シフト変調）、１６ＱＡＭ（１６Quadrature Amplitude Modulation：１６値直交振幅変調）などのデータ変調を行なった情報シンボルを拡散率分の連続するサブキャリアに繰り返し（コピーし）、繰り返したサブキャリアにわたって拡散符号を乗算する（以下、これを周波数軸拡散と呼ぶ）。サブキャリアのシンボルは、分離可能な拡散符号で周波数軸拡散されているため、符号多重をおこなうことが可能となる。受信側では、所望の情報シンボルが拡散されている拡散符号を用いて逆拡散することにより、所望の情報シンボルを抽出し、各サブキャリアで伝送された情報を復元することで復調処理が行われる。以上のように動作するＭＣ−ＣＤＭＡ方式、ＯＦＣＤＭ方式は、符号化、拡散されたシンボルをサブキャリアにわたって配置するために、移動体通信環境などでの周波数選択性フェージングにおいて、各サブキャリアが異なる振幅、位相の変動を受けることに起因する周波数ダイバーシチ効果を得ることができる。以上のＭＣ−ＣＤＭＡ方式、ＯＦＣＤＭ方式については、例えば、非特許文献１に記載されている。【０００３】
上記の周波数ダイバーシチ効果を周波数選択性のフェージングの程度（遅延分散の大きさなど）に依存せずに得る手法として、インターリーブと呼ばれる技術がある。これは、情報シンボルを決められたあるパターンに従って並び替えた後に送信し、受信側ではそのパターンの逆パターンで並べなおすことで、信号劣化のリスクを分散させ、送信された情報シンボルを、より正確に復元しようとする技術である。
また、上記インターリーブには、インターリーブを行なう信号の対象により複数の方式がある。例えば、ビットインターリーブ、シンボルインターリーブ、チップインターリーブなどがあり、特許文献１により開示されている。
従来、上記各インターリーブ方式は、ＭＣ−ＣＤＭシステムの通信環境により、得られるインターリーブ効果が異なり、通信環境に依存して、インターリーブ方式を選択することで、効率的な選択を可能としている技術が知られている（例えば、特許文献１）。例えば、周波数ダイバーシチ効果は大きいが、拡散符号の直交性の崩れが大きいチップインターリーブは、符号多重数が多いときは選択しない場合がある。通信環境とは、最大ドップラー周波数、遅延分散、送信パラメータ（変調多値数、符号多重数、拡散率等）にあたる。
【非特許文献１】前田、新、安部田、佐和橋著「２次元拡散を用いるＶＳＦ−ＯＦＣＤＭとその特性」、信学技報ＲＣＳ２００２５８、２００２年５月
【特許文献１】特開２００５−２１０７０８号公報
【発明の開示】
【発明が解決しようとする課題】
【０００４】
ところで、無線通信システム内に存在する受信装置は、対象とするデータの種類、量によりカテゴリー分けすることができ、複数カテゴリーの受信装置が同一無線通信システム内に存在する場合が考えられる。例えば、受信装置のカテゴリーが音声専用か動画伝送可能かにより、該受信装置の機能および性能が異なるために、一方のカテゴリーでは、チップインターリーブによる拡散符号の直交性の崩れの影響を受け、もう一方のカテゴリーでは、直交性の崩れの影響を殆ど受けないといったことが発生する場合がある。このため、従来技術による通信環境に基づくインターリーブの選択方法を用いると、一方のカテゴリーの受信装置は受信性能が抑えられ、他方のカテゴリーの受信装置は受信性能が良くなることがあるという問題がある。【０００５】
本発明は、このような事情に鑑みてなされたものであり、その目的は、無線通信システムにおいて、複数のカテゴリーの送受信装置が各々受信する場合においても、各送受信装置において優れた受信性能を得られる送受信装置、送受信システム、送受信方法を提供することである。
【課題を解決するための手段】
【０００６】
この発明は上述した課題を解決するためになされたもので、本発明の送受信装置は、他の送受信装置の機能に関するカテゴリー情報を受信する受信部と、前記カテゴリー情報に基づき、インターリーブ方式を選択する選択部と、前記選択したインターリーブ方式により、前記他の送受信装置への送信信号にインターリーブを施すインターリーブ部とを具備することを特徴とする。【０００７】
これにより、本発明の送受信装置は、カテゴリー情報に基づき選択するインターリーブ方式を、該カテゴリー情報のカテゴリーに適したインターリーブとすることで、他の送受信装置において優れた受信性能を得られる信号を送信することができる。【０００８】
また、本発明の送受信装置において、前記選択したインターリーブ方式を表す情報を含む制御信号を生成し、前記インターリーブ部にてインターリーブを施した送信信号に前記制御信号を合成する制御信号生成合成部を具備してもよい。【０００９】
また、本発明の送受信装置において、複数のコードチャネルの信号にそれぞれ固有の拡散符号を乗じ、この乗じた信号を多重化して、前記送信信号を生成する符号多重部を具備しても良い。【００１０】
また、本発明の送受信装置は、自装置の機能に関するカテゴリー情報を送信する送信部と、前記カテゴリー情報に対応するインターリーブ方式に応じて受信信号をデインターリーブするデインターリーブ部とを具備する。【００１１】
また、本発明の送受信装置は、自装置の機能に関するカテゴリー情報を送信する送信部と、受信した制御信号を復調して、インターリーブ方式を表す情報を取り出す制御信号復調部と、前記インターリーブ方式に応じて受信信号をデインターリーブするデインターリーブ部とを具備する。【００１２】
また、本発明の送受信装置において、前記デインターリーブ部にてデインターリーブした受信信号に、拡散符号を乗じて、この拡散符号に対応するコードチャネルの信号を抽出する符号分離部を具備しても良い。【００１３】
また、本発明の送受信装置において、前記カテゴリー情報は、このカテゴリー情報の対象装置が前記対象装置の受信信号から干渉信号を除去する干渉キャンセラ機能を具備するか否かを表す情報を含んでも良い。【００１４】
また、本発明の送受信装置において、前記カテゴリー情報は、干渉キャンセラ機能の能力を表すグレード情報を含んでも良い。【００１５】
また、本発明の送受信装置において、前記グレード情報は、前記干渉キャンセラ機能の処理の繰り返し回数に基づく情報であっても良い。【００１６】
また、本発明の送受信装置において、前記グレード情報は、前記干渉キャンセラ機能の干渉キャンセル方式に基づく情報であってもよい。【００１７】
さらに、本発明の送受信装置において、前記カテゴリー情報は、このカテゴリー情報の対象装置の使用周波数帯域幅に基づく情報、送信可能な変調多値数に基づく情報、コード多重数に基づく情報、または誤り訂正符号の繰り返し回数に基づく情報を含んでも良い。【００１８】
また、本発明の送受信システムは、第１の送受信装置とインターリーブを施された信号を前記第１の送受信装置へ送信する第２の送受信装置とからなる送受信システムにおいて、前記第１の送受信装置は、自装置の機能に関するカテゴリー情報を送信する送信部と、前記カテゴリー情報に対応するインターリーブ方式に応じて前記インターリーブを施された信号をデインターリーブするデインターリーブ部とを具備し、前記第２の送受信装置は、前記第１の送受信装置のカテゴリー情報を受信する受信部と、前記受信したカテゴリー情報に基づき、インターリーブ方式を選択する選択部と、前記選択したインターリーブ方式により、前記第１の送受信装置へ送信する信号にインターリーブを施して、前記インターリーブを施された信号を生成するインターリーブ部とを具備する。【００１９】
また、本発明の送受信システムは、第１の送受信装置とインターリーブを施された信号を前記第１の送受信装置へ送信する第２の送受信装置とからなる送受信システムにおいて、前記第１の送受信装置は、自装置の機能に関するカテゴリー情報を送信する送信部と、受信した前記インターリーブを施された信号に合成されている制御信号を復調して、インターリーブ方式を表す情報を取り出す制御信号復調部と、受信した前記インターリーブを施された信号を前記インターリーブ方式に応じてデインターリーブするデインターリーブ部とを具備し、前記第２の送受信装置は、前記第１の送受信装置のカテゴリー情報を受信する受信部と、前記受信したカテゴリー情報に基づき、インターリーブ方式を選択する選択部と、前記選択したインターリーブ方式により、前記第１の送受信装置へ送信する信号にインターリーブを施して、前記インターリーブを施された信号を生成するインターリーブ部と、前記選択したインターリーブ方式を表す情報を含む制御信号を生成し、前記インターリーブ部がインターリーブを施した信号に合成する制御信号生成合成部とを具備する。【００２０】
また、本発明の送受信方法は、インターリーブを施された信号を送信する信号送信側と前記インターリーブを施された信号を受信する信号受信側とからなる送受信システムにおける送受信方法において、前記信号受信側が、該信号受信側の機能に関するカテゴリー情報を送信する第１の過程と、前記信号送信側が、前記カテゴリー情報を受信する第２の過程と、前記信号送信側が、前記受信したカテゴリー情報に基づき、インターリーブ方式を選択する第３の過程と、前記信号送信側が、前記選択したインターリーブ方式によりインターリーブを施すことで、前記インターリーブを施された信号を生成する第４の過程と、前記信号受信側が、前記第４の過程にてインターリーブされた信号を受信し、これを前記カテゴリー情報に対応するインターリーブ方式に応じてデインターリーブする第５の過程とを具備する。【００２１】
また、本発明の送受信方法は、インターリーブを施された信号を送信する信号送信側と該信号を受信する信号受信側とからなる送受信システムにおける送受信方法において、前記信号受信側が、前記信号受信側の機能に関するカテゴリー情報を送信する第１の過程と、前記信号送信側が、前記カテゴリー情報を受信する第２の過程と、前記信号送信側が、前記受信したカテゴリー情報に基づき、インターリーブ方式を選択する第３の過程と、前記信号送信側が、前記選択したインターリーブ方式によりインターリーブを施すことで、前記インターリーブを施された信号を生成する第４の過程と、前記信号受信側が、前記第４の過程にてインターリーブされた信号を受信し、これを前記カテゴリー情報に対応するインターリーブ方式に応じてデインターリーブする第５の過程とを具備する。
【発明の効果】
【００２２】
この発明によれば、カテゴリー情報に基づき選択するインターリーブ方式を、このカテゴリー情報のカテゴリーに適したインターリーブとすることで、優れた受信性能を得ることができる。
【図面の簡単な説明】
【００２３】
【図１】この発明の第１の実施形態によるＭＣ−ＣＤＭ方式の無線通信を行う送受信システムの構成を示す概略ブロック図である。
【図２】同実施形態における基地局１０が有する送受信装置１００の構成を示す概略ブロック図である。
【図３】同実施形態におけるカテゴリー２〜４各々に属する移動局２〜４が具備する送受信装置２００の構成を示す概略ブロック図である。
【図４】同実施形態におけるカテゴリー１に属する移動局1が具備する送受信装置２３０の構成を示す概略ブロック図である。
【図５】同実施形態における送信フレーム生成部２３４が生成するフレームの一例を示す図である。
【図６】同実施形態における基地局と移動局の動作の流れの一例を示すシーケンス図である。
【図７Ａ】同実施形態における記憶部１０９の記憶内容の一例を示す図である。
【図７Ｂ】同実施形態における記憶部１０９の記憶内容の他の例を示す図である。
【図７Ｃ】同実施形態における記憶部１０９の記憶内容のさらに他の例を示す図である。
【図８】この発明の第２の実施形態によるＭＣ−ＣＤＭ方式の無線通信を行う送受信システムの構成を示す概略ブロック図である。
【図９】同実施形態における基地局１１が有する送受信装置１３０の構成を示す概略ブロック図である。
【図１０】同実施形態における移動局６が具備する送受信装置２６０の構成を示す概略ブロック図である。
【図１１】同実施形態における移動局５が具備する送受信装置２９０の構成を示す概略ブロック図である。
【図１２】同実施形態における基地局１１と移動局５、６との動作の流れの一例を示すシーケンス図である。
【図１３Ａ】同実施形態における記憶部１３９の記憶内容の一例を示す図である。
【図１３Ｂ】同実施形態における記憶部１３９の記憶内容の他の例を示す図である。
【図１４】同実施形態におけるインターリーブ方式の違いによるＰＥＲ特性の一例を示したグラフである。
【図１５】この発明の第３の実施形態による移動局の送受信装置３００の構成を示す概略ブロック図である。
【図１６】同実施形態における基地局の送受信装置４００の構成を示す概略ブロック図である。
【図１７】同実施形態における移動局と基地局との動作の流れの一例を示すシーケンス図である。
【図１８】この発明の第４の実施形態による基地局が具備する送受信装置１５００の構成を示す概略ブロック図である。
【図１９】同実施形態におけるチップインターリーブ（第３インターリーブ部２５８）を選択する移動局が具備する送受信装置１６００の構成を示す概略ブロック図である。
【図２０】同実施形態における干渉信号除去部１６５９の内部構成を示す概略ブロック図である。
【図２１】同実施形態におけるシンボルインターリーブ（第２インターリーブ部１２２）を選択する移動局が具備する送受信装置１６０１の構成を示す概略ブロック図である。
【図２２】同実施形態における干渉信号除去部１６６０の内部構成を示す概略ブロック図である。
【図２３Ａ】同実施形態における記憶部１５０９の記憶内容の一例を示す図である。
【図２３Ｂ】同実施形態における記憶部１５０９の記憶内容の他の例を示す図である。
【図２４】同実施形態における基地局と移動局の動作の流れを示すシーケンス図である。
【図２５】同実施形態における干渉信号除去部の繰り返し回数とインターリーブとの組み合わせによるＰＥＲ特性を示したグラフである。
【図２６】この発明の第５の実施形態による基地局が具備する送受信装置１８００の構成を示す概略ブロック図である。
【図２７Ａ】同実施形態における記憶部１８０９の記憶内容の一例を示す図である。
【図２７Ｂ】同実施形態における記憶部１８０９の記憶内容の他の例を示す図である。
【図２８】この発明の第４の実施形態における干渉信号除去部１６６０のＰＥＲ特性を示すグラフである。
【図２９Ａ】この発明の第１の実施形態における第３インターリーブ部１２６への入力信号の一例を示す図である。
【図２９Ｂ】この発明の第１の実施形態における第３インターリーブ部１２６による並び替えの一例を示す図である。
【符号の説明】
【００２４】
１、２、３、４、５、６  移動局
１０、１１  基地局
１００、１３０、２００、２３０、２６０、２９０、３００、４００、１５００、１６００、１６０１、１８００  送受信装置
１０１、２０１  アンテナ
１０２、２０２  無線周波数変換部
１０３、１３３、２０５、２３５、２６５、２９５  受信部
１０４、２０９  伝搬路推定部
１０５、１３５  受信信号復元部
１０６、１３６、２０３、２３３、２６３、２９３、４１０、１６３３  送信部
１０７  送信パラメータ設定部
１０８、１３８、１５０８  インターリーブ選択部
１０９、１３９、１５０９、１８０９  記憶部
１１０−１〜１１０−ｎ、２１４−１〜２１４−ｎ、２４４−１〜２４４−ｎ、２７４−１〜２７４−ｎ、２９４−１〜２９４−ｎ  コードチャネル毎信号処理部
１１１、１７０２  信号合成部
１１２  ＩＦＦＴ部
１１３  並直列変換部
１１４  ＧＩ付加部
１１５  フィルタ部
１１６  Ｄ／Ａ変換部
１１７  情報データ生成部
１１８、１７１１  誤り訂正符号化部
１１９  第１インターリーブ部
１２０、１７１２  変調部
１２１、２１１、１７１３  直並列変換部
１２２、１７２１  第２インターリーブ部
１２３、２１５  拡散符号生成部
１２４−１〜１２４−ｍ、１７１４−１〜１７１４−ｍ  シンボル複製部
１２５―１−１〜１２５−ｍ−ｌ、２１６−１−１〜２１６−ｍ−ｌ、１７１５−１−１〜１７１５−ｍ−ｌ  乗算部
１２６、１７１６  第３インターリーブ部
２０４、２３４、２６４、２８４、１６３４  送信フレーム生成部
２０６  Ａ／Ｄ変換部
２０７  フィルタ部
２０８  ＧＩ除去部
２１０  重み係数設定部
２１２  ＦＦＴ部
２１３  伝搬路歪補償部
２１７−１〜２１７−ｍ  シンボル合成部
２１８、２８９、３０２、１６１８  第２デインターリーブ部
２１９  並直列変換部
２２０  復調部
２２１  誤り訂正復号化部
２５８、３０３  第３デインターリーブ部
２５９、１６５９、１６６０  干渉信号除去部
２８８、３０１  第１デインターリーブ部
３１０  制御信号復元部
４０１  制御信号生成合成部
１７０１−１〜１７０１−ｎ、１７３０−１〜１７３０−ｎ  コードチャネル毎レプリカ生成部
１７０３  伝搬路変動乗算部
１７０４−１〜１７０４−ｍｌ  減算部
【発明を実施するための最良の形態】
【００２５】
［第１の実施形態］
以下、図面を参照して、本発明の実施の形態について説明する。図１は、この発明の一実施形態によるＭＣ−ＣＤＭ方式の無線通信を行う送受信システムの構成を示す概略ブロック図である。同システムでは、基地局１０が支配しているセル内に移動局１から移動局４が存在している。移動局１から移動局４は、各々があるカテゴリー（グレード）に属する移動局である。【００２６】
基地局１０は、移動局１〜４から各局が属するカテゴリーを通知するカテゴリー情報を受け、受けた情報にしたがって、各々の移動局に送信する情報データのインターリーブ方式を選択し、選択したインターリーブ方式によりインターリーブを行ない、信号を送信する。移動局１〜４が属するカテゴリーの分け方は、例えば、音声専用端末、テレビ電話専用端末、ＭＢＭＳ（Multimedia Broadcast/Multicast Service：マルチメディア放送マルチキャスト・サービス）可能端末などによる端末の種別による区分け、あるいは、音声データ、動画像データ、パケットデータなどによるデータの種別の違いよる区分け、あるいはサービスやＱｏｓ（Quality of service：サービス品質）による区分け、移動局が復調できる変調多値数による区分け、移動局が通信可能である周波数帯域、周波数帯域幅などによる区分けであってもよい。【００２７】
さらに、上記のような基準で区分けされたカテゴリー毎に移動局１〜４が必要とする受信性能も異なる。例えば、変調多値数で移動局がカテゴリー分けした場合、６４ＱＡＭなどの多値数が大きい変調が可能な移動局では、高ＳＩＮＲ（Signal to Interference plus Noise power Ratio：雑音電力比）化が求められ、送受信装置の受信側において、干渉キャンセラなどの干渉除去を行う処理が必要となってくる。
図７Ａ〜７Ｃにカテゴリー分けの一例を示す。図７Ａは変調多値数でカテゴリー分けを行ない、各カテゴリーに対して選択するインターリーブ方式のテーブルであり、カテゴリー情報「１」に対応して、変調多値数「６４ＱＡＭ」、「キャンセラ有り」、インターリーブ方式「チップインターリーブ」を格納し、カテゴリー情報「２」に対応して、変調多値数「１６ＱＡＭ」、「キャンセラ無し」、インターリーブ方式「シンボルインターリーブ」を格納し、カテゴリー情報「３」に対応して、変調多値数「ＱＰＳＫ」、「キャンセラ無し」、インターリーブ方式「シンボルインターリーブ」を格納し、カテゴリー情報「４」に対応して、変調多値数「ＢＰＳＫ」、「キャンセラ無し」、インターリーブ方式「シンボルインターリーブ」を格納する。図７Ｂは使用周波数帯域によりカテゴリー分けを行ない、各カテゴリーに対して選択するインターリーブ方式のテーブルであり、カテゴリー情報「１」から「４」に対応して、それぞれ周波数帯域幅「２０ＭＨｚ」、「５ＭＨｚ」、「２．５ＭＨｚ、「１．２５ＭＨｚ」を格納する。さらに、図７Ｂは、図７Ａと同様にキャンセラの有無とインターリーブ方式を記憶する。また、図７Ｃは、干渉キャンセラの有無によりカテゴリー分けをおこなう場合のテーブル一例であり、カテゴリー情報「１」に対応して、「キャンセラ有り」、インターリーブ方式「チップインターリーブ」を格納し、カテゴリー情報「２」に対応して、「キャンセラ無し」、インターリーブ方式「シンボルインターリーブ」を格納している。【００２８】
図２は、基地局１０が有する送受信装置１００の構成を示す概略ブロック図である。アンテナ１０１は、移動局１〜４から送信された信号を受信する、あるいは、送受信装置１００の生成した信号を送信する。無線周波数変換部１０２は、アンテナ１０１から受信した移動局１〜４からの信号を復元処理可能な周波数帯域に変換し、あるいは、送信する信号を送信可能な周波数帯域に変換する。受信部１０３は、伝搬路推定部１０４と受信信号復元部１０５からなる。伝搬路推定部１０４は、受信信号中の制御チャネル、プリアンブル、パイロット信号などから受信信号が通ってきた伝搬路を推定する。推定結果は、マルチパスフェージングに起因して生じる遅延プロファイルまたは遅延スプレッド特性、最大ドップラー周波数なども含まれる。受信信号復元部１０５は、移動局１〜４から受信した信号を、データ復調、誤り訂正復号などの受信信号復元処理を行い、移動局１〜４からの信号に含まれるカテゴリー情報を取り出す。【００２９】
送信信号を生成する送信部１０６は、送信パラメータ設定部１０７、インターリーブ選択部１０８、記憶部１０９、コードチャネル毎信号処理部１１０−１〜１１０−ｎ、信号合成部１１１、ＩＦＦＴ（Inversed Fast Fourier Transformation：逆高速フーリエ変換）部１１２、並直列変換部１１３、ＧＩ（Guard Interval：ガード区間）付加部１１４、フィルタ部１１５、Ｄ／Ａ（Digital to Analogue)変換部１１６を具備する。【００３０】
送信パラメータ設定部１０７は、送信する信号のＱＰＳＫ、１６ＱＡＭなどの変調多値数、符号多重数、拡散率などを設定する。インターリーブ選択部１０８は、記憶部１０９を参照して、受信信号復元部１０５で取り出したカテゴリー情報に応じて送信信号に適用するインターリーブ方式を選択し、この方式に対応するインターリーブの実施を指示する。インターリーブ選択部１０８は、カテゴリー情報と、伝搬路推定部１０４で推定した伝搬路推定値あるいは送信信号パラメータの少なくとも１つとで、適用するインターリーブ方式を選択することも可能である。
記憶部１０９は、カテゴリー情報、あるいは、カテゴリー情報と伝搬路推定部１０４で推定した伝搬路推定値あるいは送信信号パラメータの少なくとも１つとに従ってインターリーブ方式の割り当て情報を記憶している。記憶部１０９は、上述した図７Ａ〜７Ｃに示すテーブル形式で各情報を記憶している。また、記憶部１０９は、図７Ａ〜７Ｃに示すカテゴリー情報と、各カテゴリーでインターリーブ方式を選択する基準となる項目情報と、インターリーブ方式割り当て情報とを対応付けて記憶しているが、カテゴリー情報と前記選択する基準となる項目情報により決定したインターリーブ方式割り当て情報との２つのみを対応付けて記憶してもよい。また、カテゴリー情報としては、前述のカテゴリーの分け方で挙げた、端末の種別、データの種別、サービス、Ｑｏｓ、変調多値数、周波数帯域、周波数帯域幅などの項目であってもよい。その場合、記憶部１０９は、該カテゴリー情報に対応したインターリーブ方式の割り当て情報を記憶している。【００３１】
コードチャネル毎信号処理部１１０−１〜１１０−ｎは、符号多重する各チャネルの信号を生成する。ｎは最大の符号多重数である。信号合成部１１１は、コードチャネル毎信号処理部で生成した各チャネルを符号多重する。ＩＦＦＴ部１１２は、信号合成部１１１の出力信号を周波数領域のから時間領域の信号に変換する。並直列変換部１１３は、ＩＦＦＴ部１１２の出力信号を並列から直列に並び替える。ＧＩ付加部１１４は、並直列変換部１１３の出力信号にガードインターバルを付加する。フィルタ部１１５は、ＧＩ付加部１１４の出力する信号のうち所望帯域の信号のみを取り出す。Ｄ／Ａ変換部１１６は、フィルタ部１１５が出力するデジタル信号を、アナログ信号に変換する。【００３２】
コードチャネル毎信号処理部１１０−１〜１１０−ｎの各々は、以下の情報データ生成部１１７、誤り訂正符号化部１１８、第１インターリーブ部１１９、変調部１２０、直並列変換部１２１、第２インターリーブ部１２２、拡散符号生成部１２３、シンボル複製部１２４−１〜１２４−ｍ、乗算部１２５−１−１〜１２５−ｍ−ｌ、からなる。情報データ生成部１１７は、送信する情報データを生成する。誤り訂正符号化部１１８は、情報データ生成部１１７が生成した情報データについてターボ符号、畳み込み符号などの誤り訂正符号化を行なう。受信側にて復号する際に、これらの符号化に関する情報を利用することによって、伝搬路で導入された誤りを検出及び訂正することができる。第１インターリーブ部１１９は、インターリーブ選択部１０８からインターリーブの実施を指示されたときは、誤り訂正符号化部１１８からの出力データをインターリーブする。実施を指示されていないときは、誤り訂正符号化部１１８からの出力データをそのまま出力する。なお、第１インターリーブ部１１９のインターリーブ方式は、ビットインターリーブである。【００３３】
変調部１２０は、第１インターリーブ部１１９からの出力データについてＱＰＳＫ，１６ＱＡＭなどのデータ変調を行ない、シンボルを生成する。第１インターリーブを行なわない場合においては、誤り訂正符号化された信号のデータ変調を行ない、シンボルを生成する。直並列変換部１２１は、変調部１２０によりデータ変調され、直列に並んだシンボルの信号系列を並列な信号系列に並び替える。第２インターリーブ部１２２は、インターリーブ選択部１０８からインターリーブの実施を指示されたときは、変調部１２０によりデータ変調され、直並列変換部１２１により並列に並び替えられたシンボルの信号系列に対してインターリーブを行なう。実施を指示されていないときは、直並列変換部１２１により並列に並び替えられたシンボルの信号系列をそのまま出力する。第２インターリーブ部１２２のインターリーブ方式は、シンボルインターリーブである。拡散符号生成部１２３は、ＯＶＳＦ（Orthogonal Variable Spreading Factor：直交可変拡散率）符号などの該コードチャネル毎信号処理部に対応するコードチャネルの拡散に用いる拡散符号系列を生成する。【００３４】
シンボル複製部１２４−１〜１２４−ｍは、拡散符号生成部１２３で生成される拡散符号系列の長さ、または周期にあわせて、第２インターリーブ部１２２からの出力信号の複製を行ない、各チップに対応するシンボルの信号を生成する。ここで、ｍは周波数方向に配置するシンボルの数である。第２インターリーブを行なわない場合は、シンボル複製部１２４−１〜１２４−ｍは、変調部１２０、直並列変換部１２１を通ったシンボルを複製する。乗算部１２５−１−１〜１２５−ｍ−ｌは、シンボル複製部１２４−１〜１２３−ｍからの出力と拡散符号生成部１２３からの拡散符号とを乗算することにより、符号拡散を行なう。ここで、ｌは、拡散符号生成部１２３が出力する拡散符号の拡散率と等しい。
第３インターリーブ部１２６は、インターリーブ選択部１０８からインターリーブの実施を指示されたときは、乗算部１２５−１−１〜１２５−ｍ−ｌから出力される拡散された各チップの信号にインターリーブを行なう。第３インターリーブ部１２６のインターリーブ方式は、チップインターリーブである。なお、本実施形態では、第１インターリーブ部１１９と第２インターリーブ部１２２と第３インターリーブ部１２６とでインターリーブ部として機能する。また、乗算部１２５−１−１〜１２５−ｍ−ｌと信号合成部１１１とで符号多重部として機能する。
第１インターリーブ部１１９と第２インターリーブ部１２２と第３インターリーブ部１２６についてさらに説明する。
第３インターリーブ部１２６（チップインターリーブ）は、乗算部１２５−１−１〜１２５−ｍ−ｌからの出力信号をあるパターンにしたがって配置の並び替えを行い、出力する。
図２９Ａおよび２９Ｂに第３インターリーブ部１２６の並び替えの一例を示す。並び替えのパターンは、「３ＧＰＰ，ＴＳ２５，２１２  Ｖ５．１．０“Ｍｕｌｔｉｐｌｅｘｉｎｇ  ａｎｄ  ｃｈａｎｎｅｌ  ｃｏｄｉｎｇ（ＦＤＤ）．”」を適用した場合の例である。横軸は周波数、縦軸は時間を示し、２つのＭＣ−ＣＤＭシンボルを送信し、ＭＣ−ＣＤＭのサブキャリア数Ｎｃ＝１６、拡散率ＳＦ＝４（シンボル複製部が４つの複製を生成する）の送受信機装置の場合、つまり、図２に示された例において、ｌ＝４、ｍ＝４の場合である。Ｚ１，１〜Ｚ１，１６は第１番目のＭＣ−ＣＤＭシンボルのサブキャリアに割り当てる乗算部１２５−１−１〜１２５−ｍ−ｌからの出力信号を示し、Ｚ２，１〜Ｚ２，１６は第２番目のＭＣ−ＣＤＭシンボルのサブキャリアに割り当てる乗算部１２５−１−１〜１２５−ｍ−ｌからの出力信号を示す。
図２９Ａは第３インターリーブ部１２６への入力信号を示す。図２９Ａを周波数方向において配置を並び替えた例が図２９Ｂであり、インターリーブサイズはＮｃとなる。図２９Ａおよび２９Ｂでは、第１番目と第２番目のＭＣ−ＣＤＭシンボルで同じインターリーブパターンを適用しているが、異なっていてもよい。図２の送受信機装置が送信する信号を受信する図４の送受信装置（詳細は後述）の第３のデインターリーブ部２５８は、図２９Ｂの配置を図２９Ａの配置へ元に戻す並び替えを行う。
第２インターリーブ部１２２（シンボルインターリーブ）は、直並列変換部１２１の出力であるデータ変調された信号を、あるパターンにしたがって配置の並び替えを行い、出力する。これは、図２において、第２インターリーブ部１２２が、シンボル複製部１２４−１〜１２４−ｍに割り当てる（入力する）信号を図２９Ａの周波数方向に配置し、図２９Ｂと同様に、配置の並び替えを行うことで可能となる。ただし、インターリーブサイズ（周波数方向へ配置する信号数）はＮｃ／ＳＦとなり、チップインターリーブより小さくなる。また、シンボルインターリーブ同様に、ＭＣ−ＣＤＭシンボルによって異なるインターリーブパターンを用いてもよい。
第１インターリーブ部１１９（ビットインターリーブ）は、誤り訂正符号化部１１８からの出力データを、例えば図２９Ａおよび２９Ｂに示すような、あるパターンにしたがって配置の並び替えを行い、出力する。インターリーブサイズは、ω×Ｎｃ／ＳＦ（ω：変調部１２０で行われるデータ変調の多値数。例えば、ＱＰＳＫはω＝２、１６ＱＡＭはω＝４）となる。
以下、実施形態におけるチップインターリーブ、シンボルインターリーブ、ビットインターリーブも同様に行われる。【００３５】
次に、図３は、カテゴリー２〜４各々に属する移動局２〜４が具備する送受信装置２００の構成を示す概略ブロック図である。アンテナ２０１は、基地局１０から送信された信号を受信し、あるいは、自装置が生成した送信用の信号を送信する。無線周波数変換部２０２は、アンテナ２０１により受信した基地局１０からの信号をベースバンド信号に周波数変換する処理を行う。また、無線周波数変換部２０２は、自装置が生成した信号を送信可能な周波数帯域に変換する。送信部２０３は、送信フレーム生成部（送信部）２０４を具備し、ＭＣ−ＣＤＭ方式、ＯＦＤＭ方式、ＣＤＭＡ方式、シングルキャリア変調方式などの無線通信方式による信号の出力が可能である。送信部２０３は、通信する相手が干渉キャンセラの有無情報を含む制御チャネルおよび情報チャネルのデータ復元が可能であればよい。【００３６】
送信フレーム生成部２０４は、自装置が送信する情報データ、カテゴリー情報を含む制御データなどの送信したいデータを生成し、誤り訂正符号化、データ変調、拡散処理などの上記無線方式のいずれかの信号処理を施し、これらをフレーム上に並べる。ここでは、移動局２はカテゴリー２に属し、移動局３はカテゴリー３に属し、移動局４はカテゴリー４に属するので、各移動局２〜４の送信フレーム生成部２０４は、カテゴリー２〜４のうち、自局が属するカテゴリーを表すカテゴリー情報を含んだ制御データを生成する。送信フレーム生成部２０４が生成するデータの一例を図５に示す。図５は、情報データと、干渉キャンセラの有無情報を含む制御データとに誤り訂正符号化、データ変調、拡散などの信号処理を施し、伝搬路推定などに使用するパイロットチャネルと、カテゴリー情報などの制御データを有する制御チャネルと、及び情報データを有するデータチャネルとが時間多重された場合のフレームフォーマットである。図５は、一例であり、上記チャネルが周波数多重、符号多重するフォーマット構成も可能である。また、再度、基地局１０に情報データを要求する場合のＡＣＫ（Acknowledge：返信）信号の生成も行う。【００３７】
図３に戻って、２０５は、無線周波数変換部２０２が出力したベースバンド信号から情報データを取り出す受信部であり、以下のＡ／Ｄ変換部２０６、フィルタ部２０７、ＧＩ除去部２０８、伝搬路推定部２０９、重み係数設定部２１０、直並列変換部２１１、ＦＦＴ（Fast Fourier Transform：高速フーリエ変換）部２１２、伝搬路歪補償部２１３、コードチャネル毎信号処理部２１４−１〜２１４−ｎを具備する。Ａ／Ｄ変換部２０６は、無線周波数変換部２０２が出力するアナログ信号を、デジタル信号に変換する。フィルタ部２０７は、Ａ／Ｄ変換部２０６が出力する信号のうち所望帯域の信号のみを取り出す。
ＧＩ除去部２０８は、フィルタ部２０７が出力する信号のうち、遅延波による歪を回避するために基地局１０の送受信装置１００で付加されたガード区間ＧＩを除去する。【００３８】
伝搬路推定部２０９は、受信信号中の制御チャネル（受信情報）、プリアンブル、パイロット信号などから受信信号が通ってきた伝搬路を推定する。推定結果は、マルチパスフェージングに起因して生じる遅延プロファイルまたは遅延スプレッド特性、最大ドップラー周波数などを含む。重み係数設定部２１０は、伝搬路推定部２０９が出力する信号からＭＭＳＥ（Minimum Mean Square Error：最小２乗平均誤差）、ＭＲＣ（Maximum Ratio Combing：最大比合成）などにより伝搬路歪を補正する重み付け係数を算出する。【００３９】
直並列変換部２１１は、ＧＩ除去部２０８が出力する信号を、直並列変換部する。ＦＦＴ部２１２は、直並列変換部２１１が出力する信号を時間領域信号から周波数領域信号に変換するフーリエ変換の処理を行なう。伝搬路歪補償部２１３は、ＦＦＴ部２１２が出力する信号に伝搬路重み係数設定部２１０が出力する信号を乗算することによりフェージングなどによる伝搬路歪を補正する。コードチャネル毎信号処理部２１４−１〜２１４−ｎは、伝搬路歪補償部２１３からの出力信号を、符号多重されたチャネル信号毎に信号処理を行って情報データを出力し、以下の拡散符号生成部２１５、乗算部２１６−１−１〜２１６−ｍ−ｌ、シンボル合成部２１７−１〜２１７−ｍ、第２デインターリーブ部２１８、並直列変換部２１９、復調部２２０、誤り訂正復号化部２２１を具備する。【００４０】
拡散符号生成部２１５は、コードチャネル毎信号処理部２１４−１〜２１４−ｎ毎に、逆拡散用の所定の拡散符号を生成する。乗算部２１６−１−１〜２１６−ｍ−ｌは、サブキャリア（チップ）毎の信号に拡散符号生成部２１５で生成した拡散符号を乗算することで、逆拡散を行なう。シンボル合成部２１７−１〜２１７−ｍは、逆拡散された所定数の信号系列を１つに合成する。第２デインターリーブ部２１８は、各シンボル合成部２１７−１〜２１７−ｍから出力する信号に対して第２インターリーブ部１２２（図２）で行なったインターリーブパターンとは逆のパターンで並び替えを行なうことで、デインターリーブする。並直列変換部２１９は、第２デインターリーブ部からの並列に並べられた信号系列を直列な信号系列に並び替える。復調部２２０は、並直列変換部２１９からの出力信号に対して、ＱＰＳＫ、１６ＱＡＭなどの復調処理を行なう。誤り訂正復号化部２２１は、復調部２２０からの出力信号に対して、誤り訂正の復号処理を行い、情報データ信号を得る。復調部２２０における復号処理は、軟判定復号であっても、硬判定復号であってもよい。なお、本実施形態では、乗算部２１６−１−１〜２１６−ｍ−ｌと、シンボル合成部２１７−１〜２１７−ｍとで、符号分離部として機能する。【００４１】
次に、図４は、カテゴリー１に属する移動局１が具備する送受信装置２３０の構成を示す概略ブロック図である。アンテナ２０１は、基地局１０から送信された信号を受信し、あるいは、自装置で生成した信号を送信する。無線周波数変換部２０２は、アンテナ２０１により受信した基地局１０からの信号をベースバンド信号に周波数変換する処理を行う。また、無線周波数変換部２０２は、自装置で生成した信号を送信可能な周波数帯域に変換する。送信部２３３は、送信フレーム生成部（送信部）２３４を備え、送信用の信号を生成する。この信号は、ＭＣ−ＣＤＭ方式、ＯＦＤＭ方式、ＣＤＭＡ方式、シングルキャリア変調方式などの無線通信方式が可能であり、通信する相手がデータ復元可能であればよい。【００４２】
送信フレーム生成部２３４は、自装置が送信する情報データ、自局が属するカテゴリーであるカテゴリー１を表すカテゴリー情報を含む制御データなどの送信したいデータを生成し、誤り訂正符号化、データ変調、などの信号処理を施し、これらをフレーム上に並べる。送信フレーム生成部２３４が生成するフレームの一例を図５に示す。図５は、情報データと、カテゴリー情報を含む制御データとに誤り訂正符号化、データ変調、拡散などの信号処理を施し、伝搬路推定などに使用するパイロットチャネルと、カテゴリー情報などの制御データを有する制御チャネルと、及び情報データを有するデータチャネルとが時間多重された場合のフレームフォーマットである。図５は、一例であり、上記チャネルが周波数多重、符号多重するフォーマット構成でもよい。【００４３】
受信部２３５は、無線周波数変換部２０２が出力したベースバンド信号から情報データを取り出す。受信部２３５は、Ａ／Ｄ変換部２０６、フィルタ部２０７、ＧＩ除去部２０８、伝搬路推定部２０９、重み係数設定部２１０、直並列変換部２１１、ＦＦＴ部２１２、コードチャネル毎信号処理部２４４−１〜２４４−ｎを具備する。Ａ／Ｄ変換部２０６は、無線周波数変換部２０２が出力するアナログ信号を、デジタル信号に変換する。フィルタ部２０７は、Ａ／Ｄ変換部２０６が出力する信号のうち所望帯域の信号のみを取り出す。
ＧＩ除去部２０８は、フィルタ部２０７が出力する信号のうち、遅延波による歪を回避するために基地局１０で付加されたガード区間ＧＩを除去する。【００４４】
伝搬路推定部２０９は、受信信号中の制御チャネル、プリアンブル、パイロット信号などから受信信号が通ってきた伝搬路を推定する。推定結果は、マルチパスフェージングに起因して生じる遅延プロファイルまたは遅延スプレッド特性、最大ドップラー周波数などを含まれる。重み係数設定部２１０は、伝搬路推定部２０９が出力する信号からＭＭＳＥ（Minimum Mean Square Error：最小２乗平均誤差）、ＭＲＣ（Maximum Ratio Combing：最大比合成）などにより伝搬路歪を補正する重み付け係数を算出する。【００４５】
直並列変換部２１１は、ＧＩ除去部２０８が出力する信号を、直並列変換部する。ＦＦＴ部２１２は、直並列変換部２１１が出力する信号を時間領域信号から周波数領域信号に変換するフーリエ変換の処理を行なう。コードチャネル毎信号処理部２４４−１〜２４４−ｎは、ＦＦＴ部２１２からの出力信号を、符号多重されたチャネル信号毎に信号処理を行って情報データを出力するものであり、以下の干渉信号除去部２５９、伝搬路歪補償部２１３、第３デインターリーブ部２５８、拡散符号生成部２１５、乗算部２１６−１−１〜２１６−ｍ−ｌ、シンボル合成部２１７−１〜２１７−ｍ、並直列変換部２１９、復調部２２０、誤り訂正復号化部２２１を具備する。【００４６】
干渉信号除去部２５９は、誤り訂正復号化部２２１から入力される軟判定結果（対数尤度比でも可能）、あるいは硬判定結果からコード間干渉ＭＣＩの原因となる非所望信号のレプリカを作成し、さらに前記非所望信号レプリカをＦＦＴ部２１２の出力信号から除去する干渉キャンセラ機能である。伝搬路歪補償部２１３は、干渉信号除去部２５９が出力する信号に重み係数設定部２１０が出力する信号を乗算することによりフェージングなどによる伝搬路歪を補正する。【００４７】
第３デインターリーブ部２５８は、基地局１０の第３インターリーブ部１２６で行なった逆操作を行なう、すなわち、伝搬路歪補償部２１３から出力する信号を第３インターリーブ部１２６で行なったインターリーブパターンとは逆のパターンで並び替えを行なうことでデインターリーブする。拡散符号生成部２１５は、各コードチャネル毎信号処理部毎に、逆拡散用の所定の拡散符号を生成する。乗算部２１６−１−１〜２１６−ｍ−ｌは、サブキャリア毎の信号に拡散符号生成部で生成した拡散符号を乗算することで、逆拡散を行なう。【００４８】
シンボル合成部２１７−１〜２１７−ｍは、逆拡散された所定数の信号系列を１つに合成する。並直列変換部２１９は、シンボル合成部２１７−１〜２１７−ｍからの並列に並べられた信号系列を直列な信号系列に並べる。復調部２２０は、並直列変換部２１９からの出力信号に対して、ＱＰＳＫ、１６ＱＡＭなどの復調処理を行なう。誤り訂正復号化部２２１は、復調部２２０からの出力信号に対して、誤り訂正の復号処理を行い、情報データ信号を得る。誤り訂正復号化部２２１の復号処理は、軟判定復号であってもよいし、硬判定復号であってもよい。また、誤り訂正復号化部２２１からの出力信号は、干渉信号除去部２５９に入力される。なお、本実施形態では、乗算部２１６−１−１〜２１６−ｍ−ｌと、シンボル合成部２１７−１〜２１７−ｍとで、符号分離部として機能する。【００４９】
次に、図６に基地局と移動局の動作の流れの一例を示す。移動局１〜４では、自局が属するカテゴリーを表すカテゴリー情報を含む制御チャネルフレームを送信フレーム生成部２０４、２３４が生成し、これを基地局１０に対して送信することでカテゴリー情報を通知する（Ｓａ１）。ここでは、制御チャネルによりカテゴリー情報を通知しているが、これに限らず、パイロットチャネル、プリアンブルなど制御情報が通知できる信号であればよい。基地局１０では、受信した制御チャネル内のカテゴリー情報を受信信号復元部１０５が取得し、インターリーブ選択部１０８が記憶部１０９を参照して該カテゴリー情報に対応するインターリーブ方式を選択し、第１インターリーブ部１１９、第２インターリーブ部１２２、第３インターリーブ部１２６のうち対応する部分が前記選択したインターリーブ方式に従ったインターリーブを行い、カテゴリー情報送信元の移動局に送信するデータチャネルを生成し、前記データチャネルを元の移動局に送信する（Ｓａ２）。記憶部１０９において、例えば、図７Ａに示すテーブルを所持している場合は、移動局１からカテゴリー１の通知があった場合、チップインターリーブ（第３インターリーブ部１２６）が選択され、第３インターリーブ部１２６によりチップインターリーブが施されたデータチャネルを基地局１０は生成する。【００５０】
移動局１〜４のうち送信対象の移動局は、前記データチャネルを受信し、基地局１０側で施されたインターリーブ方式のデインターリーブ処理を含む信号処理を行ない、情報データを復元する。この移動局の送信フレーム生成部２０４または２３４は、さらに情報データが必要な場合は、ＡＣＫ信号を生成し、基地局１０にＡＣＫ信号を送信する（Ｓａ３）。ＡＣＫ信号は、カテゴリー情報を含んでも、含まなくてもよい。基地局１０は、移動局からのＡＣＫ信号を受信した場合、前回と同じインターリーブ方式でインターリーブを施したデータチャネル信号を生成し、当該移動局に送信する（Ｓａ４）。次のシーケンスＳａ５からは、シーケンスＳａ２からと同様であり、必要な情報データを伝送し終わるまで、これらのシーケンスを続ける。【００５１】
以上のように、基地局１０は、送信先の移動局１〜４の受信性能などを反映したカテゴリー情報にしたがって、インターリーブ方式を選択することで、各移動局１〜４の受信性能に適したインターリーブ方式でインターリーブしたデータを送信することができ、移動局１〜４の受信性能を最大限に与えることが可能となる。【００５２】
［第２の実施形態］
以下、第２の実施形態では、ＭＣ−ＣＤＭ方式の無線通信を行う送受信システムにおいて、移動局が有する送受信装置の受信部の干渉キャンセラの有無によりインターリーブを選択する場合の実施形態について説明する。図８は、第２の実施形態における送受信システムの構成を示す概略ブロック図である。基地局１１が支配しているセル内に移動局５、及び移動局６が存在している。移動局５、及び移動局６は、それぞれ異なる機能を備えた受信部を持つ送受信装置を有する。基地局１１は、移動局５、及び移動局６から通知される干渉キャンセラ有無情報を受け、受けた情報にしたがって、各々の移動局に送信する情報データのインターリーブ方式を選択し、選択したインターリーブ方式によりインターリーブを行ない、信号を送信する。なお、干渉キャンセラ有無情報は、カテゴリー情報の一種である。【００５３】
図９は、図８の基地局１１が有する送受信装置１３０の構成を示す概略ブロック図である。図９に示す送受信装置１３０は、アンテナ１０１、無線周波数変換部１０２、受信部１３３、送信部１３６を具備する。アンテナ１０１は、移動局５、６から送信された信号を受信し、あるいは、送信部１３６で生成した信号を送信する。無線周波数変換部１０２は、アンテナ１０１から受信した移動局５、６からの信号を復元処理可能な周波数帯域に変換し、あるいは、送信部１３６で生成した信号を送信可能な周波数帯域に変換する。受信部１３３は、伝搬路推定部１０４と受信信号復元部１３５とからなる。伝搬路推定部１０４は、受信信号中の制御チャネル、プリアンブル、パイロット信号などから受信信号が通ってきた伝搬路を推定する。伝搬路推定部１０４の推定結果は、マルチパスフェージングに起因して生じる遅延プロファイルまたは遅延スプレッド特性、最大ドップラー周波数なども含まれる。受信信号復元部１３５は、端末からの信号を、データ復調、復号などの受信信号復元処理を行い、移動局５、６からの信号に含まれる干渉キャンセラ有無情報を取り出す。【００５４】
送信部１３６は、送信パラメータ設定部１０７と、インターリーブ選択部１３８、記憶部１３９、コードチャネル毎信号処理部１１０−１〜１１０−ｎ、信号合成部１１１、ＩＦＦＴ部１１２、並直列変換部１１３、ＧＩ付加部１１４、フィルタ部１１５、Ｄ／Ａ変換部１１６とからなる。送信パラメータ設定部１０７は、送信する信号のＱＰＳＫ，１６ＱＡＭなどの変調多値数、符号多重数、拡散率などを設定する。インターリーブ選択部１３８は、記憶部１３９を参照して、受信信号復元部１３５で取り出した干渉キャンセラ有無情報に応じて送信信号に適用するインターリーブ方式を選択する。なお、インターリーブ選択部１３８は、干渉キャンセラ有無情報と、伝搬路推定部１０４で推定した伝搬路推定値あるいは送信信号パラメータの少なくとも１つとで、適用するインターリーブ方式を選択してもよい。記憶部１３９は、干渉キャンセラ有無情報、あるいは、干渉キャンセラ有無情報と伝搬路推定部１０４で推定した伝搬路推定値あるいは送信信号パラメータの少なくとも１つとに従ってインターリーブ方式の割り当て情報が記載されている。【００５５】
信号合成部１１１は、コードチャネル毎信号処理部１１０−１〜１１０−ｎで生成した各チャネルを符号多重する。ＩＦＦＴ部１１２は、信号合成部１１１の出力信号を周波数領域の信号から時間領域の信号に変換する。並直列変換部１１３は、ＩＦＦＴ部１１２の出力信号を並列から直列に並び替える。ＧＩ付加部１１４は、並直列変換部１１３の出力信号にガードインターバルを付加する。フィルタ部１１５は、ＧＩ付加部１１４からの出力する信号のうち所望帯域の信号のみを取り出す。Ｄ／Ａ変換部１１６は、フィルタ部１１５が出力するデジタル信号を、アナログ信号に変換する。コードチャネル毎信号処理部１１０−１〜１１０−ｎは、符号多重する各チャネルの信号を生成する。コードチャネル毎信号処理部１１０−１〜１１０−ｎは、それぞれ、情報データ生成部１１７、誤り訂正符号化部１１８、第１インターリーブ部１１９、変調部１２０、直並列変換部１２１、第２インターリーブ部１２２、拡散符号生成部１２３、シンボル複製部１２４−１〜１２４−ｍ、乗算部１２５−１−１〜１２５―ｍ−ｌ、第３インターリーブ部１２６を具備する。【００５６】
情報データ生成部１１７は、送信する情報データを生成する。誤り訂正符号化部１１８は、情報データをターボ符号、畳み込み符号などの誤り訂正符号化を行なう。受信側にてデコードする際に、これらの符号化に関する情報を利用することによって、伝搬路で導入された誤りを検出及び訂正することができる。第１インターリーブ部１１９は、誤り訂正符号化部１１８からの出力データをインターリーブする。ビットインターリーブに該当する。変調部１２０は、第１インターリーブ部１１９からの出力データをＱＰＳＫ，１６ＱＡＭなどのデータ変調を行う。第１インターリーブを行なわない場合においては、誤り訂正符号化された信号のデータ変調を行なう。【００５７】
直並列変換部１２１は、変調部１２０が出力した直列に並んだ信号系列を並列な信号系列に並び替える。第２インターリーブ部１２２は、データ変調された信号に対してインターリーブを行なう。シンボルインターリーブに該当する。拡散符号生成部１２３は、ＯＶＳＦ符号などの拡散符号系列を生成する。シンボル複製部１２４−１〜１２４−ｍは、拡散符号生成部１２３で生成される拡散符号系列の長さ、または周期にあわせて、第２インターリーブ部１２２からの出力信号の複製を行なう。第２インターリーブを行なわない場合は、変調部１２０、直並列変換部１２１を通ったシンボルを複製する。乗算部１２５−１−１〜１２５−ｍ−ｌは、シンボル複製部１２４−１〜１２４−ｍからの出力と拡散符号生成部１２３からの拡散符号とを乗算して、符号拡散を行なう。第３インターリーブ部１２６は、インターリーブ選択部１３８からインターリーブの実施を指示されたときは、乗算部１２５−１−１〜１２５−ｍ−ｌから出力される拡散された信号にインターリーブを行なう。チップインターリーブに該当する。【００５８】
図１０は、移動局６が具備する送受信装置２６０の構成を示す概略ブロック図である。
アンテナ２０１は、基地局１１から送信された信号を受信し、あるいは、自装置で生成した信号を送信する。無線周波数変換部２０２は、アンテナ２０１により受信した基地局１１からの信号をベースバンド信号に周波数変換する処理を行う。また、無線周波数変換部２０２は、自装置で生成した信号を送信可能な周波数帯域に変換する。送信部２６３は、送信フレーム生成部２６４を備える。送信部２６３は、ＭＣ−ＣＤＭ方式、ＯＦＤＭ方式、ＣＤＭＡ方式、シングルキャリア変調方式などの無線通信方式により信号を出力することが可能であり、通信する相手が干渉キャンセラの有無情報を含む制御チャネル、情報チャネルのデータ復元が可能であればよい。【００５９】
送信フレーム生成部２６４は、移動局６が送信する情報データ、干渉キャンセラの有無情報を含む制御データなどの送信したいデータを生成し、誤り訂正符号化、データ変調、拡散処理などの上記無線方式のいずれかの信号処理を施し、これらをフレーム上に並べる。送信フレーム生成部２６４が生成するフレームの一例を図５に示す。図５では、情報データ、干渉キャンセラの有無情報を含む制御データに誤り訂正符号化、データ変調、拡散などの信号処理を施し、伝搬路推定などに使用するパイロットチャネル、干渉キャンセラ有無情報などの制御データを有する制御チャネル、及び情報データを有するデータチャネルが時間多重された場合のフレームフォーマットである。図５は、一例であり、上記チャネルが周波数多重、符号多重するフォーマット構成も可能である。【００６０】
受信部２６５は、Ａ／Ｄ変換部２０６、フィルタ部２０７、ＧＩ除去部２０８、伝搬路推定部２０９、重み係数設定部２１０、直並列変換部２１１、ＦＦＴ部２１２、伝搬路歪補償部２１３、拡散符号生成部２１５、乗算部２１６−１−１〜２１６−ｍ−ｌ、シンボル合成部２１７−１〜２１７−ｍ、第２デインターリーブ部２８９、並直列変換部２１９、復調部２２０、第１デインターリーブ部２８８、誤り訂正復号化部２２１を具備する。Ａ／Ｄ変換部２０６は、無線周波数変換部２０２が出力するアナログ信号を、デジタル信号に変換する。フィルタ部２０７は、Ａ／Ｄ変換部２０６が出力する信号のうち所望帯域の信号のみを取り出す。ＧＩ除去部２０８は、フィルタ部２０７が出力する信号のうち、遅延波による歪を回避するために基地局１１で付加されたガード区間ＧＩを除去する。【００６１】
伝搬路推定部２０９は、受信信号中の制御チャネル（受信情報）、プリアンブル、パイロット信号などから受信信号が通ってきた伝搬路を推定する。推定結果は、マルチパスフェージングに起因して生じる遅延プロファイルまたは遅延スプレッド特性、最大ドップラー周波数などを含まれる。重み係数設定部２１０は、伝搬路推定部２０９が出力する信号からＭＭＳＥ（Minimum Mean Square Error：最小２乗平均誤差）、ＭＲＣ（Maximum Ratio Combing：最大比合成）などにより伝搬路歪を補正する重み付け係数を算出する。【００６２】
直並列変換部２１１は、ＧＩ除去部２０８が出力する信号を、直並列変換する。ＦＦＴ部２１２は、直並列変換部２１１が出力する信号を時間領域信号から周波数領域信号に変換するフーリエ変換の処理を行なう。伝搬路歪補償部２１３は、ＦＦＴ部２１２が出力する信号に伝搬路重み係数設定部２１０が出力する信号を乗算することによりフェージングなどによる伝搬路歪を補正する。コードチャネル毎信号処理部２７４−１〜２７４−ｎは、伝搬路歪補償部２１３からの出力信号を、符号多重されたチャネル信号毎に信号処理を行うことで、情報データを得る。コードチャネル毎信号処理部２７４−１〜２７４−ｎ各々は、拡散符号生成部２１５、乗算部２１６−１−１〜２１６−ｍ−ｌ、シンボル合成部２１７−１〜２１７−ｍ、第２デインターリーブ部２８９、並直列変換部２１９、復調部２２０、第１デインターリーブ部２８８、誤り訂正復号化部２２１を具備する。【００６３】
拡散符号生成部２１５は、各コードチャネル毎信号処理部２７４−１〜２７４−ｎ毎に、逆拡散用の所定の拡散符号を生成する。乗算部２１６−１−１〜２１６−ｍ−ｌは、サブキャリア毎の信号に拡散符号生成部２１５で生成した拡散符号を乗算することで、逆拡散を行なう。シンボル合成部２１７−１〜２１７−ｍは、逆拡散された所定数の信号系列を１つに合成する。第２デインターリーブ部２８９は、各シンボル合成部２１７−１〜２１７−ｍから出力する信号に対して基地局１１の第２インターリーブ部１２２で行なったインターリーブパターンとは逆のパターンで並び替えを行なうことで、デインターリーブする。【００６４】
並直列変換部２１９は、第２デインターリーブ部２８９からの並列に並べられた信号系列を直列な信号系列に並び替える。復調部２２０は、並直列変換部２１９からの出力信号に対して、ＱＰＳＫ、１６ＱＡＭなどの復調処理を行なう。第１デインターリーブ部２８８は、復調部２２０からの出力信号に対して、基地局１１の第１インターリーブ部１１９で行なったインターリーブパターンとは逆のパターンで並び替えを行なう。誤り訂正復号化部２２１は、第１デインターリーブ部２８８からの出力信号に対して、誤り訂正の復号処理を行い、情報データ信号を得る。誤り訂正復号化部２２１の復号処理は、軟判定復号であっても、硬判定復号であってもよい。【００６５】
図１１は、移動局５が具備する送受信装置２９０の構成を示す概略ブロック図である。
アンテナ２０１は、基地局１１から送信された信号を受信し、あるいは、自装置で生成した信号を送信する。無線周波数変換部２０２は、アンテナ２０１により受信した基地局１１からの信号をベースバンド信号に周波数変換する処理を行う。また、無線周波数変換部２０２は、自装置で生成した信号を送信可能な周波数帯域に変換する。送信部２９３は、送信フレーム生成部２８４を備え、送信用の信号を生成する。この送信用の信号は、ＭＣ−ＣＤＭ方式、ＯＦＤＭ方式、ＣＤＭＡ方式、シングルキャリア変調方式などの無線通信方式とすることが可能であり、通信する相手がデータ復元可能であればよい。【００６６】
送信フレーム生成部２８４は、移動局５が送信する情報データ、制御データ、カテゴリー情報などの送信したいデータを生成し、誤り訂正符号化、データ変調、などの信号処理を施し、フレーム上に並べる。送信フレーム生成部２８４が生成するフレームの一例を図５に示す。図５では、情報データ、制御データ、カテゴリー情報に誤り訂正符号化、データ変調、拡散などの信号処理を施し、伝搬路推定などに使用するパイロットチャネルと、干渉キャンセラ有無情報などの制御データを有する制御チャネルと、情報データを有するデータチャネルとが時間多重された場合のフレームフォーマットである。図５は、一例であり、上記チャネルが周波数多重、符号多重するフォーマット構成も可能である。【００６７】
受信部２９５は、無線周波数変換部２０２が出力したベースバンド信号から情報データを得る。受信部２９５は、Ａ／Ｄ変換部２０６、フィルタ部２０７、ＧＩ除去部２０８、伝搬路推定部２０９、重み係数設定部２１０、直並列変換部２１１、ＦＦＴ部２１２、コードチャネル毎信号処理部２９４−１〜２９４−ｎを備える。Ａ／Ｄ変換部２０６は、無線周波数変換部２０２が出力するアナログ信号を、デジタル信号に変換する。フィルタ部２０７は、Ａ／Ｄ変換部２０６が出力する信号のうち所望帯域の信号のみを取り出す。ＧＩ除去部２０８は、フィルタ部２０７が出力する信号のうち、遅延波による歪を回避するために基地局１１で付加されたガード区間ＧＩを除去する。【００６８】
伝搬路推定部２０９は、受信信号中の制御チャネル（受信情報）、プリアンブル、パイロット信号などから受信信号が通ってきた伝搬路を推定する。推定結果は、マルチパスフェージングに起因して生じる遅延プロファイルまたは遅延スプレッド特性、最大ドップラー周波数などを含まれる。重み係数設定部２１０は、伝搬路推定部２０９が出力する信号からＭＭＳＥ（Minimum Mean Square Error：最小２乗平均誤差）、ＭＲＣ（Maximum Ratio Combing：最大比合成）などにより伝搬路歪を補正する重み付け係数を算出する。直並列変換部２１１は、ＧＩ除去部２０８が出力する信号を、直並列変換部する。ＦＦＴ部２１２は、直並列変換部２１１が出力する信号を時間領域信号から周波数領域信号に変換するフーリエ変換の処理を行なう。【００６９】
コードチャネル毎信号処理部２９４−１〜２９４−ｎは、ＦＦＴ部２１２からの出力信号を、符号多重されたチャネル信号毎に信号処理を行って情報データを出力し、以下の干渉信号除去部２５９、伝搬路歪補償部２１３、第３デインターリーブ部２５８、拡散符号生成部２１５、乗算部２１６−１−１〜２１６−ｍ−ｌ、シンボル合成部２１７−１〜２１７−ｍ、第２デインターリーブ部２８９、並直列変換部２１９、復調部２２０、第１デインターリーブ部２８８、誤り訂正復号化部２２１を具備する。【００７０】
干渉信号除去部２５９は、誤り訂正復号化部２２１から入力される軟判定結果（対数尤度比でも可能）、あるいは硬判定結果からコード間干渉ＭＣＩの原因となる非所望信号のレプリカを作成し、さらに前記非所望信号レプリカをＦＦＴ部２１２の出力信号から除去する干渉キャンセラ機能である。伝搬路歪補償部２１３は、干渉信号除去部２５９が出力する信号に伝搬路重み係数設定部２１０が出力する信号を乗算することによりフェージングなどによる伝搬路歪を補正する。第３デインターリーブ部２５８は、基地局１０の第３インターリーブ部１２６で行なった逆操作を行なう、すなわち、伝搬路歪補償部２１３から出力する信号を第３インターリーブ部１２６で行なったインターリーブパターンとは逆のパターンで並び替えを行なうことでデインターリーブする。【００７１】
拡散符号生成部２１５は、各コードチャネル毎信号処理部２９４−１〜２９４−ｎ毎に、逆拡散用の所定の拡散符号を生成する。乗算部２１６−１−１〜２１６−ｍ−ｌは、第３デインターリーブ部２５８が出力するサブキャリア毎の信号に拡散符号生成部２１５で生成した拡散符号を乗算することで、逆拡散を行なう。シンボル合成部２１７−１〜２１７−ｍは、逆拡散された所定数の信号系列を１つに合成する。第２デインターリーブ部２８９は、基地局１１の第２インターリーブ部１２２で行なったインターリーブの逆操作をおこなう、すなわち、各シンボル合成部２１７−１〜２１７−ｍから出力する信号に対して第２インターリーブ部１２２で行なったインターリーブパターンとは逆のパターンで並び替えを行なうことでデインターリーブする。【００７２】
並直列変換部２１９は、第２デインターリーブ部２８９からの並列に並べられた信号系列を直列な信号系列に並び替える。復調部２２０は、並直列変換部２１９からの出力信号に対して、ＱＰＳＫ、１６ＱＡＭなどの復調処理を行なう。第１デインターリーブ部２８８は、復調部２２０からの出力信号に対して、基地局１１の第１インターリーブ部１１９で行なったインターリーブパターンとは逆のパターンで並び替えを行なう。誤り訂正復号化部２２１は、第１デインターリーブ部２８８からの出力信号に対して、誤り訂正の復号処理を行い、情報データ信号を得る。誤り訂正復号化部２２１の復号処理は、軟判定復号であってもよいし、硬判定復号であってもよい。【００７３】
次に、図１２は、本実施形態における基地局１１と移動局５、６との動作の流れの一例を示すシーケンス図である。移動局５，６では、干渉キャンセラの有無情報を含む制御チャネルフレームを送信フレーム生成部２６４、２８４が生成し、基地局１１に対して送信することで干渉キャンセラの有無情報を通知する（Ｓｂ１）。ここでは、制御チャネルにより干渉キャンセラ有無情報を通知しているが、これに限らず、パイロットチャネル、プリアンブルなど制御情報が通知できる信号であればよい。図８における移動局５は、基地局１１に対して干渉キャンセラ有を通知し、移動局６は干渉キャンセラ無しを通知する。
基地局１１では、受信した制御チャネル内の干渉キャンセラ有無情報を受信信号復元部１３５が取得し、インターリーブ選択部１３８が記憶部１３９を参照して該干渉キャンセラ有無に各々に対応するインターリーブ方式を選択し、前記選択したインターリーブ方式に従ったインターリーブを各移動局向けの情報データに対して行い、干渉キャンセラの有無情報送信元の移動局に送信するデータチャネルを生成し、前記データチャネルを移動局に送信する（Ｓｂ２）。【００７４】
記憶部１３９は、例えば、図１３Ａおよび１３Ｂに示すテーブルを所持している。図１３Ａは、干渉キャンセラ有無によりインターリーブ方式を選択するテーブルの一例であり、干渉キャンセラの有無とそれぞれに対応したインターリーブ方式が記述されている（干渉キャンセラ有りに対応するのは、チップ（第３）インターリーブとシンボル（第２）インターリーブ、干渉キャンセラ無しに対応するのは、シンボル（第２）インターリーブである）。また、図１３Ｂは、干渉キャンセラ有無と送信パラメータの１つである多重数とによりインターリーブ方式を選択するテーブルの一例であり、干渉キャンセラの有無と多重数が６以上か未満かとの組合せに対応したインターリーブ方式が記述されている（干渉キャンセラ無しと多重数Ｃｎが６以上との組合せに対応するのは、シンボル（第２）インターリーブ、その他の組合せに対応するのは、チップ（第３）インターリーブとシンボル（第２）インターリーブである）。【００７５】
記憶部１３９の記憶内容が図１３Ａのテーブルの場合は、例えば、干渉キャンセラ有りの情報を含む制御チャネルを受信した場合、インターリーブ選択部１３８は、インターリーブ方式として、チップインターリーブとシンボルインターリーブを選択する。記憶部１３９の記憶内容が図１３Ｂのテーブルの場合は、例えば、干渉キャンセラ無しの情報を含む制御チャネルを受信し、多重数Ｃｎ＝４であれば、インターリーブ選択部１３８は、インターリーブ方式として、チップインターリーブとシンボルインターリーブが選択される。インターリーブ選択部１３８は、選択したインターリーブ方式に応じてインターリーブの実施を指示する。すなわち、チップインターリーブであれば第３インターリーブ部１２６にインターリーブの実施を指示し、シンボルインターリーブであれば第２インターリーブ部１２２にインターリーブの実施を指示する。
図２５は、干渉キャンセラ有り、または無しのときに、チップインターリーブまたは、シンボルインターリーブを用いた場合の横軸に受信電力、縦軸にＰＥＲ（Packet Error Rate）をとり、ＰＥＲ特性を示したグラフである。干渉キャンセラは、図２２記載の干渉キャンセラを用いており、図２５において、Ｃａｎｃｅｌｌｅｒ（ｉｔｅｒ＝１）は干渉キャンセラ無し（繰り返し回数1回の干渉キャンセラ有りと同等）の場合を示し、Ｃａｎｃｅｌｌｅｒ（ｉｔｅｒ＝５）は繰り返し回数５回の干渉キャンセラ有りの場合を示す。干渉キャンセラ無しにおいては、チップインターリーブを用いる（L１）よりシンボルインターリーブを用いる（L２）方が情報データの誤りを少なくできる。一方、干渉キャンセラ有りにおいては、シンボルインターリーブを用いる（L３）よりチップインターリーブを用いる（L４）の方が情報データの誤りを少なくできる。  以上から、干渉キャンセラ無しの場合は、シンボルインターリーブを選択し、干渉キャンセラ有りの場合は、チップインターリーブを選択することにより、移動局の受信性能を最大限に与えることが可能となる。【００７６】
送信対象となっていた移動局は、前記データチャネルを受信し、基地局１１側で施されたインターリーブ方式のデインターリーブ処理を含む信号処理を行ない、情報データを復元する。この移動局は、さらに情報データが必要な場合は、ＡＣＫ信号を生成し、基地局にＡＣＫ信号を送信する（Ｓｂ３）。ＡＣＫ信号は、干渉キャンセラ有無情報を含んでも、含まなくてもよい。基地局１１は、この移動局からのＡＣＫ信号を受信した場合、前回と同じインターリーブ方式でインターリーブを行なったデータチャネル信号を生成し、移動局に送信する（Ｓｂ４）。次のシーケンスＳｂ５からは、シーケンスＳｂ２からと同様であり、必要な情報データを伝送し終わるまで、これらのシーケンスを続ける。【００７７】
図１４は、横軸に受信電力、縦軸にＰＥＲ（Packet Error Rate：パケット誤り率）をとり、ＭＣ−ＣＤＭ方式の無線通信システムにおいて、インターリーブ方式の違いによるＰＥＲ特性の一例を示したグラフである。干渉キャンセラがない場合には、チップインターリーブを行なった場合（Ｐ１）の方がシンボルインターリーブのみを行った場合（Ｐ２）よりもＰＥＲ特性が劣化している。一方、干渉キャンセラ有りの場合においては、チップインターリーブを行なった場合（Ｐ４）の方がシンボルインターリーブのみを行った場合（Ｐ３）よりもＰＥＲ特性がよい。これは、干渉キャンセラによりコード間干渉（ＭＣＩ）が除去できるので、チップインターリーブによる周波数ダイバーシチ効果が有効に得られるからである。【００７８】
すなわち、同じ通信環境下であっても、図１４のＰＥＲ特性を有するシステムにおいては、図１３Ａに例示したテーブルのように、干渉キャンセラ無しの移動局においては、シンボルインターリーブ方式を適用し、干渉キャンセラ有りの移動局においては、チップインターリーブあるいは、チップインターリーブとシンボルインターリーブを適用するようにインターリーブ方式を選択すると優れた伝送効率を得ることができる。以上のように、移動局は、干渉キャンセラの有無により受信性能が異なり、各移動局の受信性能に適したインターリーブ方式でインターリーブしたデータを送信することで、移動局の受信性能を最大限に与えることが可能となる。【００７９】
［第３の実施形態］
第３の実施形態は、第２の実施形態の変形例であり、干渉キャンセラ有無情報および送信パラメータに基づきインターリーブを選定した際に、選定結果を基地局から移動局に通知する送受信システムである。ここでは、送信パラメータとして、図１３Ｂの多重数である場合を例にとり、説明する。【００８０】
図１５は、本実施形態における移動局の送受信装置３００の構成を示す概略ブロック図である。図１５において、図１１の各部に対応する部分には同一の符号を付け、その説明を省略する。制御信号復元部３１０は、移動局が基地局１１からの受信信号のうち、干渉キャンセラ有無および多重数により決定したインターリーブ方式情報を有する制御チャネル信号を復元し、データチャネルに施されているインターリーブ方式を得る。制御信号復元部３１０は、インターリーブ方式を得ると、当該インターリーブ方式に対応するデインターリーブを行うように各デインターリーブ部にデインターリーブの実施を指示する。【００８１】
第１デインターリーブ部３０１は、制御信号復元部３１０からのデータチャネルに施されているインターリーブ方式情報にてビットインターリーブが指定されているときに、ビットインターリーブに対応したデインターリーブを行なう。第２デインターリーブ部３０２は、制御信号復元部３１０からのデータチャネルに施されているインターリーブ方式情報にてシンボルインターリーブが指定されているときに、シンボルインターリーブに対応したデインターリーブを行なう。第２デインターリーブ部３０３は、制御信号復元部３１０からのデータチャネルに施されているインターリーブ方式情報にてチップインターリーブが指定されているときに、チップインターリーブに対応したデインターリーブを行なう。【００８２】
図１６は、本実施形態における基地局の送受信装置４００の構成を示す概略ブロック図である。図１６において、図９の各部に対応する部分には同一の符号を付け、その説明を省略する。送信部４１０は、図９における送信部１３６に加えて制御信号生成合成部４０１を備える。制御信号生成合成部４０１は、インターリーブ選択部１３８が選択したインターリーブ方式を表すインターリーブ方式情報を含む制御情報を生成し、該制御情報を配置した制御チャネルと、信号合成部１１１から受けたデータ情報を配置したデータチャネルとを合成したフレームを生成し、ＩＦＦＴ部１１２に出力する。【００８３】
図１７は、本実施形態における移動局と基地局との動作の流れの一例を示すシーケンス図である。移動局は、送信フレーム生成部２８４が、移動局の送受信装置３００の干渉キャンセラの有無情報を含む制御チャネルフレームを生成し、基地局に送信する（Ｓｃ１）。ここでは、干渉キャンセラ（干渉信号除去部２５９）を備えているので、干渉キャンセラ有無情報の内容は、干渉キャンセラ有りである。基地局は、受信した信号から受信信号復元部１３５が復元した干渉キャンセラの有無情報およびデータチャネルに施す多重数により、インターリーブ選択部１３８が記憶部１３９を参照してデータチャネルに施すインターリーブ方式を決定し、当該インターリーブ方式を第１インターリーブ部１１９〜第３インターリーブ部１２６に通知する。これにより、送信部４１０は、決定したインターリーブ方式に従ってデータチャネルを生成する。さらに、制御信号生成合成部４０１は、インターリーブ選択部１３８から決定したインターリーブ方式を受け、これに基づきデータチャネルに施したインターリーブ方式情報を含む制御情報を生成する。【００８４】
基地局は、上記生成したデータチャネルおよび制御情報を含む制御チャネルを移動局に送信する（Ｓｃ２）。移動局は、基地局からのデータチャネル及び制御チャネルを受信し、まず、制御信号復元部３１０が、制御チャネルを復元し、データチャネルに施されているインターリーブ方式情報を得る。制御信号復元部３１０は、該インターリーブ方式情報に対応したデインターリーブを実施するように、第１デインターリーブ部３０１、第２デインターリーブ部３０２、第３デインターリーブ部３０３に指示する。次に、移動局は、データチャネルに対して、前記インターリーブ方式情報に従ったデインターリーブ処理、および逆拡散、復調、復号などのその他信号処理を行い、情報データを復元する。移動局は、さらに情報データが必要な場合は、ＡＣＫ信号を生成し、基地局にＡＣＫ信号を送信する（Ｓｃ３）。ＡＣＫ信号は、干渉キャンセラ有無情報を含んでも、含まなくてもよい。基地局は、移動局からのＡＣＫ信号を受信した場合、干渉キャンセラ有無情報およびデータシンボルの多重数によりインターリーブ方式を決定し、決定したインターリーブ方式に従ったインターリーブを施したデータチャネル信号を生成する。さらに、データチャネルに施したインターリーブ方式情報を含む制御チャネル情報を生成する。基地局は、上記生成したデータチャネルおよび制御チャネルを移動局に送信する（Ｓｃ４）。【００８５】
移動局は、基地局からのデータチャネル及び制御チャネルを受信し、まず、制御信号復元部３１０において、制御チャネルを復元し、データチャネルに施されているインターリーブ方式情報を得る。次に、移動局は、データチャネルに対して、前記インターリーブ方式情報に従ったデインターリーブ処理、および逆拡散、復調、復号などのその他信号処理を行い、情報データを復元する。次のシーケンスＳｃ５からは、シーケンスＳｃ３からと同様であり、必要な情報データを伝送し終わるまで、これらのシーケンスを続ける。【００８６】
以上のように、干渉キャンセラの有無情報および送信パラメータからインターリーブ方式を決定することにより、環境情報および移動局の受信性能を考慮した最適なインターリーブ方式を選定し、移動局の受信性能を最大限に得ることが可能となる。【００８７】
［第４の実施形態］
以下、第４の実施形態では、ＭＣ−ＣＤＭ方式の無線通信システムにおいて、移動局が有する送受信装置の受信部が具備する干渉キャンセラのグレードによりインターリーブを選択する場合の実施形態について説明する。図１８は、第４の実施形態における基地局が具備する送受信装置１５００の構成を示す概略ブロック図である。図１８において、図２の各部に対応する部分には同一の符号を付け、その説明を省略する。【００８８】
インターリーブ選択部１５０８は、受信信号復元部１０５で取り出した干渉キャンセラのグレード情報に対応するインターリーブ方式を記憶部１５０９を参照して取得し、当該インターリーブ方式を送信信号に適用するインターリーブ方式として選択する。なお、インターリーブ選択部１５０８は、干渉キャンセラのグレード情報と、伝搬路推定部１０４で推定した伝搬路推定値あるいは送信信号パラメータの少なくとも１つとで、適用するインターリーブ方式を選択してもよい。記憶部１５０９は、干渉キャンセラのグレード情報、あるいは、干渉キャンセラのグレード情報と伝搬路推定部１０４で推定した伝搬路値あるいは送信信号パラメータのうちの少なくとも１つとの組合せに対応したインターリーブ方式の割り当て情報が記載されている。なお、グレード情報は、カテゴリー情報の一種であるが、上述のものとは相違する。【００８９】
図１９は、チップインターリーブ（第３インターリーブ部１２６）を選択する移動局が具備する送受信装置１６００の構成を示す概略ブロック図である。図１９において、図４の各部に対応する部分には同一の符号を付け、その説明を省略する。送信フレーム生成部１６３４は、移動局が送信する情報データ、干渉キャンセラのグレード情報を含んだ制御情報を含む送信したいデータを生成し、誤り訂正符号化、データ変調、拡散処理などの上記無線方式のいずれかの信号処理を施し、当該信号処理を施したデータをフレーム上に並べる。干渉信号除去部１６５９は、干渉信号除去部２５９と同様に誤り訂正復号化部２２１から入力される軟判定結果（対数尤度比でも可能）、あるいは硬判定結果からコード間干渉ＭＣＩの原因となる非所望信号のレプリカを作成し、さらに前記非所望信号レプリカをＦＦＴ部２１２の出力信号から除去する干渉キャンセラ機能を備える。干渉信号除去部１６５９の詳細について、図２０を用いてさらに説明する。【００９０】
図２０は、干渉信号除去部１６５９の内部構成を示す概略ブロック図である。干渉信号除去部１６５９は、誤り訂正復号化部２２１からの出力信号を入力し、基地局が生成したであろう各コードチャネルの信号（レプリカ）を生成するコードチャネル毎レプリカ生成部１７０１−１〜１７０１−ｎを有する。コードチャネル毎レプリカ生成部１７０１−１〜１７０１−ｎの詳細は後述する。信号合成部１７０２は、コードチャネル毎レプリカ生成部１７０１−１〜１７０１−ｎの出力信号のうち、所望チャネル以外のコードチャネルに属する信号を合成する。伝搬路変動乗算部１７０３は、信号合成部１７０２の出力に対して、伝搬路推定部２０９で推定された伝搬路値を乗算する。減算部１７０４−１〜１７０４−ｍｌは、伝搬路変動乗算部１７０３の出力をＦＦＴ部２１２からの出力信号から減算し、減算結果を伝搬路歪補償部２１３に出力する。【００９１】
コードチャネル毎レプリカ生成部１７０１−１〜１７０１−ｎは、誤り訂正符号化部１７１１、変調部１７１２、直並列変換部１７１３、シンボル複製部１７１４−１〜１７１４−ｍ、乗算部１７１５−１−１〜１７１５−ｍ−ｌ、第３インターリーブ部１７１６を具備する。誤り訂正符号化部１７１１は、誤り訂正復号化部２２１からの出力信号に誤り訂正符号化を行なう。ここで行われる誤り訂正符号化は、受信信号に施されている誤り訂正符号化と同じである。変調部１７１２は、誤り訂正符号化部１７１１からの信号に対して、ＱＰＳＫ，１６ＱＡＭなどのデータ変調を行なう。ここで行われるデータ変調は、受信信号に施されているデータ変調と同じである。直並列変換部１７１３は、変調部１７１２の出力する直列に並べられた信号系列を並列に並べ替える。シンボル複製部１７１４−１〜１７１４−ｍは、拡散符号生成部２１５で生成される拡散符号系列の長さ、または周期にあわせて、直並列変換部１７１３からの出力信号の複製を行なう。乗算部１７１５−１−１〜１７１５−ｍ−ｌは、シンボル複製部１７１４−１〜１７１４−ｍからの出力と拡散符号生成部２１５からの拡散符号とを乗算することで符号拡散を行なう。第３インターリーブ部１７１６は、乗算部１７１５−１−１〜１７１５−ｍ−ｌから出力される拡散された信号にチップインターリーブを行なう。【００９２】
図２１は、シンボルインターリーブ（第２インターリーブ部１２２）を選択する移動局の送受信装置１６０１の構成を示す概略ブロック図である。図２１において、図１９の各部に対応する部分には同一の符号を付け、その説明を省略する。
第２デインターリーブ部１６１８は、各シンボル合成部２１７−１〜２１７−ｍから出力する信号に対して第２インターリーブ部１２２で行なったシンボルインターリーブのパターンとは逆のパターンで並び替えを行なう。干渉信号除去部１６６０は、干渉信号除去部２５９、１６５９と同様に、誤り訂正復号化部２２１から入力される軟判定結果（対数尤度比でも可能）、あるいは硬判定結果からコード間干渉ＭＣＩの原因となる非所望信号のレプリカを作成し、さらに前記非所望信号レプリカをＦＦＴ部２１２の出力信号から除去する干渉キャンセラ機能を備える。干渉信号除去部１６６０の詳細について、図２２を用いて説明する。【００９３】
図２２は、干渉信号除去部１６６０の内部構成を示す概略ブロック図である。図２２において、図２０の各部に対応する部分には同一の符号を付け、その説明を省略する。干渉信号除去部１６６０は、直並列変換部１７１３からの出力信号に対して、シンボルインターリーブを行なう第２インターリーブ部１７２１を有する。【００９４】
ここで、図２０の干渉信号除去部１６５９では、コードチャネル毎レプリカ生成部１７０１−１〜１７０１−ｎ、信号合成部１７０２、伝搬路変動乗算部１７０３により、コード間干渉の原因となる非所望チャネル信号レプリカを生成し、前記非所望チャネル信号レプリカをＦＦＴ部２１２の出力信号から除去することによって受信信号からコード間干渉成分を低減することができる。減算部１７０４−１〜１７０４−ｍｌから出力されるコード間干渉成分が低減された信号が、コードチャネル毎信号処理部２４４−１〜２４４−ｎによりデインターリーブ、逆拡散処理、復調処理、誤り訂正復号され、得られる情報データは、コード間干渉が低減された信号により復元したデータであるため、誤りの少ないデータとなる。さらに、この誤りの少ないデータを使用して、干渉信号除去部１６５９が再度非所望信号レプリカを生成することで、精度の高いレプリカを生成できる。この非所望信号レプリカ生成、減算を繰り返すことにより、レプリカ精度が向上し、誤りのより少ない情報データを得ることができる。【００９５】
ところで、繰り返し回数が増加することにより、移動局の処理遅延が増加することになるので、移動局が取り扱うデータの種類、Ｑｏｓにより繰り返し回数を変える必要がある場合がある。例えば、データ通信では、処理遅延は大きくても良いが、データのロスは限りなくゼロであることが望ましいため、繰り返し回数を多くできるが、音声通信においては、データのロスはゼロである必要は無いが、大きな処理遅延は許されないため、繰り返し回数を少なくする。データによる要求条件により、繰り返し回数が異なる移動局が存在する。【００９６】
図２３Ａおよび２３Ｂは、基地局の記憶部１５０９が保持するインターリーブ選択テーブルの内容例を示す図である。図２３Ａのインターリーブ選択テーブルは、干渉キャンセラの繰り返し回数でグレード分けされ（干渉キャンセラの繰り返し回数が「２」、「４」、「６」のとき、それぞれのグレード情報は、「１」、「２」、「３」である）、そのグレードに対応したインターリーブ方式を記憶している場合の例である（グレード情報が「１」または「２」のときのインターリーブ方式は「シンボルインターリーブ」、グレード情報が「３」のときのインターリーブ方式は「チップインターリーブ」である）。図２３Ａにおいて、グレード情報「１」、あるいはグレード情報「２」を通知する移動局は、図２１の送受信装置１６０１を有し、グレード情報「３」を通知する移動局は、図１９の送受信装置１６００を有する。【００９７】
図２３Ｂのインターリーブ選択テーブルは、干渉キャンセラの繰り返し回数とターボ複号の繰り返し回数との組合せによりグレード分けされ（干渉キャンセラの繰り返し回数とターボ復号の繰り返し回数との組合せが「４、２」、「２、４」、「１、８」のとき、それぞれのグレード情報は、「１」、「２」、「３」である）、そのグレードに対応したインターリーブ方式を記憶している場合の例である（グレード情報が「１」のときのインターリーブ方式は「チップインターリーブ」、グレード情報が「２」または「３」のときのインターリーブ方式は「シンボルインターリーブ」である）。図２３Ｂにおいて、グレード情報「１」を通知する移動局は、図１９の送受信装置１６００を有し、グレード情報「２」、あるいはグレード情報「３」を通知する移動局は、図２１の送受信装置１６０１を有する。図２３Ａおよび２３Ｂでは、干渉キャンセラとターボ複号の繰り返し回数でグレード分けしているが、これに限らず、送信パラメータを加えた指標でグレード分けしてもよい。【００９８】
図２４は、本実施形態における基地局と移動局の動作の流れを示すシーケンス図である。移動局は、干渉キャンセラのグレード情報を含む制御チャネルフレームを生成し、基地局に対して送信することで干渉キャンセラのグレード情報を通知する（Ｓｄ１）。ここでは、制御チャネルにより干渉キャンセラのグレード情報を通知しているが、これに限らず、パイロットチャネル、プリアンブルなど制御情報が通知できる信号であればよい。基地局は、受信した制御チャネル内の干渉キャンセラのグレード情報から、インターリーブ方式を選択し、前記選択したインターリーブ方式に従ったインターリーブを行い、移動局に送信するデータチャネルを生成し、前記データチャネルを移動局に送信する（Ｓｄ２）。
以降、図６におけるシーケンスＳａ３〜Ｓａ６と同様に動作する。なお、図２４では、干渉キャンセラの繰り返し回数に基づいたグレード情報を通知しているが、繰り返し回数を直接通知してもよい。【００９９】
図２５は、干渉信号除去部の繰り返し回数（ｉｔｅｒ）が１回、または５回のときに、チップインターリーブまたは、シンボルインターリーブを用いた場合の横軸に受信電力、縦軸にＰＥＲ（Packet Error Rate）をとり、ＰＥＲ特性を示したグラフである。干渉信号除去部の繰り返し回数１回においては、チップインターリーブを用いる（L１）よりシンボルインターリーブを用いる（L２）方が情報データの誤りを少なくできる。一方、干渉信号除去部の繰り返し回数５回においては、シンボルインターリーブを用いる（L３）よりチップインターリーブを用いる（L４）方が情報データの誤りを少なくできる。
以上から、干渉信号除去部の繰り返し回数１回の場合は、シンボルインターリーブを選択し、干渉信号除去部の繰り返し回数５回の場合は、チップインターリーブを選択することにより、移動局の受信性能を最大限に与えることが可能となる。
さらに図２８は、チップインターリーブ、またはシンボルインターリーブを用いた場合の、干渉信号除去部における繰り返し回数に対するＰＥＲ特性を示したグラフである。横軸は干渉キャンセラの繰り返し回数、縦軸はＰＥＲ（Packet Error Rate）である。干渉キャンセラは、図２２の構成を有する。繰り返し回数１〜４の区間では、シンボルインターリーブを用いる（Ｌ５）方が情報データの誤りを少なくでき、繰り返し回数４〜８の区間では、チップインターリーブを用いる（Ｌ６）方が情報データの誤りを少なくできる。これは、繰り返し回数が多いほど、コード間干渉が精度よく除去できるためであり、図２８の結果より、図２３Ａのテーブルを用いることにより移動局の受信性能を最大限に与えることが可能となる。さらに、図２８において、繰り返し回数４では、チップインターリーブとシンボルインターリーブで略同等の特性であるので、図２３Ａではシンボルインターリーブを選択する。シンボルインターリーブはチップインターリーブよりも並び替えする範囲を小さくできるので（インターリーブサイズを小さくできるので）、演算量の削減が可能となる。【０１００】
以上では、干渉キャンセラの繰り返し回数によるインターリーブの選択について説明したが、これに限らず、ターボ復号の繰り返し回数、によりインターリーブの選択することも可能である。あるいは、干渉信号除去部とターボ復号化部の間で繰り返し復号を行うターボ等化器を適用した場合の繰り返し回数によりインターリーブの選択をすることも可能である。【０１０１】
［第５の実施形態］
以下、第５の実施形態では、第４の実施形態の変形例として、干渉キャンセラのグレード情報が干渉キャンセラの種類に基づく場合について説明する。干渉キャンセラとしては、並列型干渉キャンセラ（ＰＩＣ：Parallel Interference Canceller）と逐次型干渉キャンセラ（ＳＩＣ：Successive Interference Canceller）とが知られている。並列型干渉キャンセラＰＩＣは、繰り返し処理により干渉成分を精度よく除去できるが、繰り返し処理において、初回の復号結果の誤りが、２回目以降の復号結果に伝搬するため、逐次型干渉キャンセラＳＩＣほど特性改善しない。また、並列型干渉キャンセラＰＩＣは、コードチャネル毎の信号処理が並列に行なえるため、処理遅延は符号多重数に依存せず、符号多重数が多いときは、逐次型干渉キャンセラＳＩＣに比較して小さくなる。逐次型干渉キャンセラＳＩＣは、繰り返し処理において、コードチャネル毎に順に復号、干渉除去を行なうため、誤り伝搬が少なく、並列型干渉キャンセラＰＩＣ以上に干渉成分を精度よく除去できる。また、逐次型干渉キャンセラＳＩＣは、コードチャンネル毎に信号処理を順番に行なっていくため、処理遅延は符号多重数に依存し、符号多重数が多い場合は、並列型干渉キャンセラＰＩＣに比較して処理遅延が大きい。【０１０２】
図２６は、本実施形態における基地局が具備する送受信装置１８００の構成を示す概略ブロック図である。図２６において、図１８の各部に対応する部分には同一の符号を付け、その説明を省略する。送受信装置１８００は、干渉キャンセラの種類に基づくグレード情報、あるいは、干渉キャンセラの種類に基づくグレード情報と伝搬路推定部１０４で推定した伝搬路値あるいは送信信号パラメータのうちの少なくとも１つとの組合せに対応したインターリーブ方式の割り当て情報が記載されている記憶部１８０９を有する。【０１０３】
図２７Ａおよび２７Ｂは、記憶部１８０９が保持するインターリーブ方式選択テーブルの内容例を示す図である。図２７Ａは、干渉キャンセラのグレードが干渉キャンセラの種類により設定された場合における、インターリーブ方式選択テーブル例であり、グレード情報「１」に対応する干渉キャンセラ方式とインターリーブ方式とに、それぞれ「ＰＩＣ」と「シンボルインターリーブ」とを記憶しており、グレード情報「２」に対応する干渉キャンセラ方式とインターリーブ方式とに、それぞれ「ＳＩＣ」と「チップインターリーブ」とを記憶している。図２７Ａのように、コード間干渉除去能力の高い遂次型干渉キャンセラＳＩＣを具備する移動局については、チップインターリーブを施すため、周波数ダイバーシチ効果を効率的に得ることが可能となり、移動局の受信性能を最大限に得ることが可能となる。【０１０４】
図２７Ｂは、干渉キャンセラのグレードが干渉キャンセラの種類、及び、多重数により設定された場合におけるインターリーブ方式選択テーブル例であり、グレード情報「１」に対応する干渉キャンセラ方式と多重数とインターリーブ方式とに、それぞれ「ＰＩＣ」と「Ｃｎ＞６」と「シンボルインターリーブ」とを記憶し、グレード情報「２」に対応して、それぞれ「ＰＩＣ」、「Ｃｎ≦６」、「チップインターリーブ」とを記憶し、グレード情報「３」に対応して、それぞれ「ＳＩＣ」、「Ｃｎ＞６」、「チップインターリーブ」とを記憶し、グレード情報「４」に対応して、それぞれ「ＳＩＣ」、「Ｃｎ≦６」、「チップインターリーブ」とを記憶している。ただし、Ｃｎは多重数である。図２７Ｂのように、移動局が具備するＰＩＣ、あるいはＳＩＣの干渉除去能力、および多重数により変化する干渉成分を考慮して、インターリーブ方式を選択することにより、周波数ダイバーシチ効果が効率的に得ることが可能となり、移動局の受信性能を最大限に得ることが可能となる。【０１０５】
また、上記例では、並列型干渉キャンセラＰＩＣと遂次型干渉キャンセラＳＩＣの干渉キャンセラによる干渉除去能力によりインターリーブ方式を選択しているが、これに限らず、ＰＩＣ、ＳＩＣ，ターボ等化器などの波形整形技術が適用された場合においても、適用可能である。基地局と移動局の動作の流れは、図２４と同様である。ただし、干渉キャンセラのグレード情報のかわりに、干渉キャンセラ方式を直接通知してもよい。以上のように、干渉キャンセラの干渉除去能力に基づいたグレードによりインターリーブ方式を選択することで、移動局の送受信装置の受信性能を最大限得ることが可能となる。【０１０６】
なお、第４および第５の実施形態においても、第３の実施形態と同様に基地局にて選択したインターリーブ方式を移動局に通知し、移動局は通知されたインターリーブ方式に対応するデインターリーブを実施するようにしてもよい。【０１０７】
また、第１から第５の実施形態における、伝搬路推定部１０４、受信信号復元部１０５、１３５、送信パラメータ設定部１０７、インターリーブ選択部１０８、１３８、１５０８、記憶部１０９、１３９、１５０９、１８０９、コードチャネル毎信号処理部１１０−１〜１１０−ｎ、信号合成部１１１、ＩＦＦＴ部１１２、並直列変換部１１３、ＧＩ付加部１１４、フィルタ部１１５、送信フレーム生成部２０４、２３４、２６４、２９４、１６３４、フィルタ部２０７、ＧＩ除去部２０８、伝搬路推定部２０９、重み係数設定部２１０、直並列変換部２１１、ＦＦＴ部２１２、伝搬路歪補償部２１３、コードチャネル毎信号処理部２１４−１〜２１４−ｎ、２４４−１〜２４４−ｎ、２７４−１〜２７４−ｎ、２９４−１〜２９４−ｎ、第１デインターリーブ部２８８、３０１、第２デインターリーブ部２８９、３０２、第３デインターリーブ部２５８、３０３、干渉信号除去部２５９、１６５９、１６６０、制御信号復元部３１０、制御信号生成合成部４０１は専用のハードウェアにより実現されるものであってもよい。また、これらの各部はメモリおよびＣＰＵ（中央演算装置）により構成され、各部の機能を実現するためのプログラムをメモリにロードして実行することによりその機能を実現させるものであってもよい。【０１０８】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【０１０９】
本発明は、本発明は、携帯電話およびその基地局などの符号多重して信号を送信する送受信装置と該符号多重された信号を受信する送受信装置とに用いて好適であるが、これに限定されない。
【図１】
2008029845.tif 000003
【図２】
2008029845.tif 000004
【図３】
2008029845.tif 000005
【図４】
2008029845.tif 000006
【図５】
2008029845.tif 000007
【図６】
2008029845.tif 000008
【図７Ａ】
2008029845.tif 000009
【図７Ｂ】
2008029845.tif 000010
【図７Ｃ】
2008029845.tif 000011
【図８】
2008029845.tif 000012
【図９】
2008029845.tif 000013
【図１０】
2008029845.tif 000014
【図１１】
2008029845.tif 000015
【図１２】
2008029845.tif 000016
【図１３Ａ】
2008029845.tif 000017
【図１３Ｂ】
2008029845.tif 000018
【図１４】
2008029845.tif 000019
【図１５】
2008029845.tif 000020
【図１６】
2008029845.tif 000021
【図１７】
2008029845.tif 000022
【図１８】
2008029845.tif 000023
【図１９】
2008029845.tif 000024
【図２０】
2008029845.tif 000025
【図２１】
2008029845.tif 000026
【図２２】
2008029845.tif 000027
【図２３Ａ】
2008029845.tif 000028
【図２３Ｂ】
2008029845.tif 000029
【図２４】
2008029845.tif 000030
【図２５】
2008029845.tif 000031
【図２６】
2008029845.tif 000032
【図２７Ａ】
2008029845.tif 000033
【図２７Ｂ】
2008029845.tif 000034
【図２８】
2008029845.tif 000035
【図２９Ａ】
2008029845.tif 000036
【図２９Ｂ】
2008029845.tif 000037
【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
対象装置として他の送受信装置の機能に関するカテゴリー情報を受信する受信部と、
前記カテゴリー情報に基づき、インターリーブの対象が異なる複数のインターリーブ方式のうち、少なくとも一つのインターリーブ方式を選択する選択部と、
前記選択部によって選択されたインターリーブ方式により、前記他の送受信装置への送信信号にインターリーブを施すインターリーブ部と
を具備する送受信装置。
【請求項２】
対象装置として自装置の機能に関するカテゴリー情報を送信する送信部と、
インターリーブの対象が異なる複数のインターリーブ方式のうち、前記カテゴリー情報に対応する少なくとも一つのインターリーブ方式に応じて受信信号をデインターリーブするデインターリーブ部と
を具備する送受信装置。
【請求項３】
対象装置として自装置の機能に関するカテゴリー情報を送信する送信部と、
受信した制御信号を復調して、インターリーブ方式を表す情報を取り出す制御信号復調部と、
インターリーブの対象が異なる複数のインターリーブ方式のうち、前記制御信号復調部によって取り出された少なくとも一つのインターリーブ方式に応じて受信信号をデインターリーブするデインターリーブ部と
を具備する送受信装置。
【請求項４】
前記カテゴリー情報は、前記対象装置の受信信号から干渉信号を除去する干渉キャンセラ機能を具備するか否かを表す情報を含む請求項１から請求項３のいずれかの項に記載の送受信装置。
【請求項５】
前記カテゴリー情報は、干渉キャンセラ機能の能力を表すグレード情報を含む請求項４に記載の送受信装置。
【請求項６】
前記グレード情報は、前記干渉キャンセラ機能の処理の繰り返し回数に基づく情報である請求項５に記載の送受信装置。
【請求項７】
前記グレード情報は、前記干渉キャンセラ機能の干渉キャンセル方式に基づく情報である請求項５に記載の送受信装置。
【請求項８】
前記カテゴリー情報は、前記対象装置の使用周波数帯域幅に基づく情報を含む請求項４に記載の送受信装置。
【請求項９】
前記カテゴリー情報は、前記対象装置の誤り訂正復号の繰り返し回数に基づく情報を含む請求項４に記載の送受信装置。
【請求項１０】
第１の送受信装置とインターリーブを施された信号を前記第１の送受信装置へ送信する第２の送受信装置とからなる送受信システムにおいて、
前記第１の送受信装置は、
自装置の機能に関するカテゴリー情報を送信する送信部と、
インターリーブの対象が異なる複数のインターリーブ方式のうち、前記カテゴリー情報に対応する少なくとも一つのインターリーブ方式に応じて前記インターリーブを施された信号をデインターリーブするデインターリーブ部と
を具備し、
前記第２の送受信装置は、
前記第１の送受信装置のカテゴリー情報を受信する受信部と、
前記受信したカテゴリー情報に基づき、インターリーブの対象が異なる複数のインターリーブ方式のうち、少なくとも一つのインターリーブ方式を選択する選択部と、
前記選択部によって選択されたインターリーブ方式により、前記第１の送受信装置へ送信する信号にインターリーブを施して、前記インターリーブを施された信号を生成するインターリーブ部と
を具備する送受信システム。
【請求項１１】
第１の送受信装置とインターリーブを施された信号を前記第１の送受信装置へ送信する第２の送受信装置とからなる送受信システムにおいて、
前記第１の送受信装置は、
自装置の機能に関するカテゴリー情報を送信する送信部と、
受信した前記インターリーブを施された信号に合成されている制御信号を復調して、インターリーブ方式を表す情報を取り出す制御信号復調部と、
受信した前記インターリーブを施された信号を、インターリーブの対象が異なる複数のインターリーブ方式のうち、前記制御信号復調部によって取り出された少なくとも一つのインターリーブ方式に応じてデインターリーブするデインターリーブ部と
を具備し、
前記第２の送受信装置は、
前記第１の送受信装置のカテゴリー情報を受信する受信部と、
前記受信したカテゴリー情報に基づき、インターリーブの対象が異なる複数のインターリーブ方式のうち、少なくとも一つのインターリーブ方式を選択する選択部と、
前記選択部によって選択されたインターリーブ方式により、前記第１の送受信装置へ送信する信号にインターリーブを施して、前記インターリーブを施された信号を生成するインターリーブ部と、
前記選択したインターリーブ方式を表す情報を含む制御信号を生成し、前記インターリーブ部がインターリーブを施した信号に合成する制御信号生成合成部と
を具備する送受信システム。
【請求項１２】
インターリーブを施された信号を送信する信号送信側と前記インターリーブを施された信号を受信する信号受信側とからなる送受信システムにおける送受信方法において、
前記信号受信側が、前記信号受信側の機能に関するカテゴリー情報を送信する第１の過程と、
前記信号送信側が、前記カテゴリー情報を受信する第２の過程と、
前記信号送信側が、前記受信したカテゴリー情報に基づき、インターリーブの対象が異なる複数のインターリーブ方式のうち、少なくとも一つのインターリーブ方式を選択する第３の過程と、
前記信号送信側が、前記第３の過程において選択されたインターリーブ方式によりインターリーブを施すことで、前記インターリーブを施された信号を生成する第４の過程と、
前記信号受信側が、前記第４の過程にてインターリーブされた信号を受信し、インターリーブの対象が異なる複数のインターリーブ方式のうち、前記カテゴリー情報に対応する少なくとも一つのインターリーブ方式に応じて、前記インターリーブされた信号をデインターリーブする第５の過程と
を具備する送受信方法。
【請求項１３】
インターリーブを施された信号を送信する信号送信側と前記インターリーブを施された信号を受信する信号受信側とからなる送受信システムにおける送受信方法において、
前記信号受信側が、前記信号受信側の機能に関するカテゴリー情報を送信する第１の過程と、
前記信号送信側が、前記カテゴリー情報を受信する第２の過程と、
前記信号送信側が、前記受信したカテゴリー情報に基づき、インターリーブの対象が異なる複数のインターリーブ方式のうち、少なくとも一つのインターリーブ方式を選択する第３の過程と、
前記信号送信側が、前記第３の過程において選択されたインターリーブ方式を表す情報を含む制御信号を生成し、前記インターリーブを施された信号に合成する第４の過程と、
前記信号送信側が、前記選択したインターリーブ方式によりインターリーブを施すことで、前記インターリーブを施された信号を生成する第５の過程と、
前記信号受信側が、受信した前記インターリーブを施された信号に合成されている制御信号を復調して、インターリーブ方式を表す情報を取り出す第６の過程と、
前記信号受信側が、インターリーブの対象が異なる複数のインターリーブ方式のうち、前記第６の過程にて取り出した少なくとも一つのインターリーブ方式に応じて、受信した前記インターリーブを施された信号をデインターリーブする第７の過程と
を具備することを特徴とする送受信方法。
【国際調査報告】
2008029845.tif 000038
2008029845.tif 000039
2008029845.tif 000040
2008029845.tif 000041
2008029845.tif 000042
2008029845.tif 000043
2008029845.tif 000044
2008029845.tif 000045